(57)【要約】【課題】  キャップから大気開放弁に繋がるチューブ内に流体が流れ込んでもチューブ内で流体が増粘や固化を起こし難い、流体噴射装置を提供すること。【解決手段】プリンター１は、キャップ１７の内部とキャップ１７の外部の大気とを連通するチューブ３０，３２と、チューブ３２に接続され、キャップ１７の内部を、チューブ３０，３２を介して大気に開放する状態と大気から閉塞する状態とに切り替えることができる大気開放弁３３と、チューブ３０のキャップ１７と大気開放弁３３との間の部分を押圧することができるローラー４０Ａ，４０Ｂを、該部分を押圧する状態と押圧しない状態とに変位可能とすると共に、ローラー４０Ａ，４０Ｂがチューブ３０を押圧している状態で、チューブ３０の押圧されている部分がキャップ１７側から大気開放弁３３に向けて移動するようにローラー４０Ａ，４０Ｂを移動させることができるチューブポンプ３１を備える。【選択図】図４
2011152647.tif 000002
【特許請求の範囲】
【請求項１】
ノズル形成面に形成される流体噴射ノズルから流体を噴射する流体噴射ヘッドと、
上記ノズル形成面を封止可能なキャップと、
上記キャップに設けられた吸引口から上記キャップ内に負圧を発生させることができる吸引ポンプと、
上記キャップの内部と上記キャップの外部の大気とを連通するチューブと、
上記チューブに接続され、上記キャップの内部を上記チューブを介して上記大気に開放する状態と上記大気から閉塞する状態とに切り替えることができる大気開放弁と、
上記チューブの上記キャップと上記大気開放弁との間の部分を押圧することができる押圧部を、上記部分を押圧する状態と押圧しない状態とに変位させることができる共に、上記押圧部が上記チューブを押圧している状態で、上記押圧部を上気チューブに沿って上記キャップ側から上記大気開放弁側に向けて移動することができるチューブ押圧手段と、
を備えることを特徴とする流体噴射装置。
【請求項２】
請求項１に記載の流体噴射装置であって、
前記流体噴射ヘッドを２つ以上備えると共に、各流体噴射ヘッド毎に、前記キャップ、前記チューブ、および前記チューブ押圧手段を有する、
ことを特徴とする流体噴射装置。
【請求項３】
請求項１に記載の流体噴射装置であって、
前記流体噴射ヘッドを２つ以上備えると共に、各流体噴射ヘッド毎に前記キャップが備えられ、
前記チューブは、上記各キャップに接続される分岐チューブと、上記複数の分岐チューブが接続される集合チューブとを有し、
前記大気開放弁は、上記集合チューブに接続され、
前記チューブ押圧手段は、上記集合チューブに対して備えられる、
ことを特徴とする流体噴射装置。
【請求項４】
請求項１に記載の流体噴射装置であって、
前記流体噴射ヘッドを２つ以上備えると共に、各流体噴射ヘッド毎に、前記キャップおよび前記チューブが備えられ、
前記チューブ押圧手段は、少なくとも２つの前記チューブを同時に押圧する状態と押圧しない状態とに、前記押圧部を変位させることができると共に、前記押圧部が前記チューブを押圧している状態で、前記押圧部を前記チューブに沿って前記キャップ側から前記大気開放弁側に向けて移動させることができる、
ことを特徴とする流体噴射装置。
【請求項５】
請求項１から４のいずれか１に記載の流体噴射装置であって、
前記チューブ押圧手段の前記押圧部は、ローラーである、
ことを特徴とする流体噴射装置。
【請求項６】
請求項１から４のいずれか１に記載の流体噴射装置であって、
前記チューブまたは前記集合チューブは、少なくとも、前記チューブ押圧手段の前記押圧部が接触する部分において自己潤滑性を有する、
ことを特徴とする流体噴射装置。
【請求項７】
請求項１から６のいずれか１に記載の流体噴射装置であって、
前記流体は、白色のインクジェット記録用インク組成物を有することを特徴とする流体噴射装置。
【請求項８】
請求項１から６のいずれか１に記載の流体噴射装置であって、
前記流体は、着色材と、水と、難水溶性のアルカンジオールと、ポリアルキレングリコールとを少なくとも含んでなる、インクジェット記録用インク組成物を有することを特徴とする流体噴射装置。
【発明の詳細な説明】
【技術分野】
【０００１】
本発明は、流体噴射装置に関する。
【背景技術】
【０００２】
インクジェットプリンターには、印刷ヘッドのノズル形成面をキャップで封止した状態でキャップ内を負圧とすることにより、ノズル内の増粘したインクを排出させる、いわゆるメンテナンス処理を行うことができる構成を備えるものがある。このようにキャップ内が負圧になっている状態で、キャップをノズル形成面から離間させる際には、キャップの離間に先立ち、キャップ内の大気開放が行われる。この大気開放を行うための構成には次のようなものである。つまり、キャップの内部は、キャップの底面に接続されるチューブを介して大気開放弁に連通されている。したがって、大気開放弁を開放することで、チューブを介してキャップ内が大気開放される（特許文献１、２参照）。一方、メンテナンス処理によりノズルから排出されたインクがキャップに設けられるチューブとの連通口に流れ込むことがある。そして、流れ込んだインクが経時的に増粘や固化をし、連通口が詰まってしまうことがある。かかる問題を解消するため、連通口をインクやクリーニング液で洗浄することで連通口の詰りを防止する手段が、たとえば、特許文献３に開示されている。
【先行技術文献】
【特許文献】
【０００３】
【特許文献１】特開２００３−２０５６３２号公報
【特許文献２】特開２００２−２３４１７４号公報
【特許文献３】特開平９−２４００００号公報
【発明の開示】
【発明が解決しようとする課題】
【０００４】
しかしながら、連通口をインクで洗浄することによる場合には、インクの使用量が増えるという問題がある。また、クリーニング液により洗浄することによる場合には、クリーニング液の貯留部を備える必要があり、加えて、クリーニング液のコストも嵩むという問題がある。
【０００５】
そこで、本発明は、キャップから大気開放弁に繋がるチューブ内に流れ込んだ流体を洗浄によることなく、チューブ外に排出することができる流体噴射装置を提供することを目的とする。
【課題を解決するための手段】
【０００６】
上述の課題を解決するため、流体噴射装置は、流体をノズル形成面に形成される流体噴射ノズルから噴射する流体噴射ヘッドと、ノズル形成面を封止可能なキャップと、キャップに設けられた吸引口からキャップ内の流体を吸引することができる吸引ポンプと、キャップの内部と上記キャップの外部の大気とを連通するチューブと、チューブに接続され、キャップの内部をチューブを介して大気に開放する状態と大気から閉塞する状態とに切り替えることができる大気開放弁と、チューブのキャップと大気開放弁との間の部分を押圧する状態と押圧しない状態とに押圧部を変位させることができる共に、押圧部がチューブを押圧している状態で、押圧部をチューブに沿ってキャップ側から大気開放弁側に向けて移動することができるチューブ押圧手段とを備えることとする。
【０００７】
流体噴射装置をこのように構成することで、チューブ押圧手段によりチューブ内にあるインクをチューブ外に排出することができる。そのため、キャップから大気開放弁に繋がるチューブ内に流れ込んだ流体を洗浄によることなく、チューブ外に排出することができ、チューブ内でのインクの増粘や固化を未然に防ぐごとができる。
【０００８】
上記発明に加えて、流体噴射装置においては、流体噴射ヘッドを２つ以上備えると共に、各流体噴射ヘッド毎に、キャップ、チューブ、およびチューブ押圧手段を有することとしてもよい。
【０００９】
流体噴射ヘッドが２つ以上備えられることで、キャップの周囲に配置される構造物の数が増えたり構造が複雑化し、キャップの近傍に大気開放弁を配置するスペースを確保することができなくなることがある。このような場合には、大気開放弁をキャップから離れた位置に配置せざるを得ず、キャップと大気開放弁とを連通するチューブの長さが長くなってしまう。一方、チューブの長さが長くなるものほど、チューブ内に流体が溜まり易くなる。そこで、各流体噴射ヘッド毎に、キャップ、チューブ、およびチューブ押圧手段を備えることで、キャップと大気開放弁とを連通するチューブの長さが長い場合でも、チューブ内に流れ込んだ流体の排出を行うことができ、チューブ内における流体の増粘や固化を防止することができる。
【００１０】
上記発明に加えて、流体噴射装置においては、流体噴射ヘッドを２つ以上備えると共に、各流体噴射ヘッド毎にキャップが備えられ、チューブは、各キャップに接続される分岐チューブと、複数の分岐チューブが接続される集合チューブとを有し、大気開放弁は、集合チューブに接続され、チューブ押圧手段は、集合チューブに対して備えられることとしてもよい。
【００１１】
流体噴射装置をこのように構成することで、１台のチューブ押圧手段により複数の分岐チューブに対して、分岐チューブ内に流れ込んだインクを上流側から下流側に流すことができ、チューブ押圧手段の台数を減らすことができる。その結果、流体噴射装置の小型化と部品点数の削減を図ることができる。
【００１２】
上記発明に加えて、流体噴射装置においては、流体噴射ヘッドを２つ以上備えると共に、各流体噴射ヘッド毎に、キャップおよびチューブが備えられ、チューブ押圧手段は、少なくとも２つのチューブに対して同時に、押圧する状態と押圧しない状態とに、押圧部を変位させることができると共に、押圧部がチューブを押圧している状態で、押圧部をチューブに沿ってキャップ側から大気開放弁側に向けて移動させることとしてもよい。
【００１３】
流体噴射装置をこのように構成することで、１台のチューブ押圧手段により複数のチューブに対して、チューブ内に流れ込んだインクを上流側から下流側に流すことができ、チューブ押圧手段の台数を減らすことができる。その結果、流体噴射装置の小型化と部品点数の削減を図ることができる。
【００１４】
上記発明に加えて、流体噴射装置においては、チューブ押圧手段の押圧部が、ローラーであることとしてもよい。
【００１５】
流体噴射装置をこのように構成することで、押圧部とチューブとの擦れが少なくなり、チューブが損傷してしまう虞を低減できる。
【００１６】
上記発明に加えて、流体噴射装置においては、チューブまたは集合チューブの、少なくとも、チューブ押圧手段の押圧部が接触する部分で自己潤滑性を有することとしてもよい。
【００１７】
流体噴射装置をこのように構成することで、チューブまたは集合チューブの押圧部と接触する部分の摩耗を低減することができる。
【００１８】
上記発明に加えて、流体噴射装置においては、流体が、白色のインクジェット記録用インク組成物を有することとしてもよい。
【００１９】
白色のインクジェット記録用インク組成物は、粘度が高い傾向にあり、増粘や固化をし易い。したがって、白色のインクジェット記録用インク組成物を有する流体が流れるチューブに対して、チューブ押圧手段を備え、排出処理を行うことができるように構成することで、チューブ内での流体の増粘や固化を効果的に防ぐことができる。
【００２０】
上記発明に加えて、流体噴射装置においては、流体が、着色材と、水と、難水溶性のアルカンジオールと、ポリアルキレングリコールとを少なくとも含んでなる、インクジェット記録用インク組成物を有することとしてもよい。
【００２１】
着色材と、水と、難水溶性のアルカンジオールと、ポリアルキレングリコールとを少なくとも含む流体は、高粘度となる。したがって、増粘や固化をし易い。したがって、高粘度の流体が流れるチューブに対して、チューブ押圧手段を備え、排出処理を行うことができるように構成することで、チューブ内での高粘度の流体の増粘や固化を効果的に防ぐごとができる。
【図面の簡単な説明】
【００２２】
【図１】本発明の実施の形態に係るインクジェットプリンターの全体的な概略構成を示す正面視における断面図である。
【図２】図１に示すインクジェットプリンターの概略構成を示す平面図である。
【図３】図１に示すインクジェットプリンターの概略構成を示す右側面図である。
【図４】図１に示すインクジェットプリンターに備えられるキャップ、メンテナンス機構および大気開放機構の構成示す図である。
【図５】インクジェットプリンターの電気的構成を示すブロック図である。
【図６】インクジェットプリンターの変形例１を示す図である。
【図７】インクジェットプリンターの変形例２を示す図である。
【図８】インクジェットプリンターの変形例３を示す図である。
【発明を実施するための形態】
【００２３】
（実施の形態）
以下、本発明の流体噴射装置の実施の形態として、流体としてのインクを噴出することができるインクジェットプリンター（以下、単に、プリンターと記載する。）１について、図面を参照しながら説明をする。図１は、プリンター１の概略構成を示す正面視における断面図である。図２は、プリンター１の概略構成を示す平面図である。図３は、プリンター１の内部の一部分の概略構成を示す右側面図である。なお、図１から図３では、インクカートリッジ等のインク供給系を省略している。また、図面において、矢印Ｘ方向を前方、矢印Ｙ方向を左方、矢印Ｚ方向を上方として、以下の説明を行うこととする。
【００２４】
図１および図２に示すように、プリンター１は、流体噴射ヘッドとしての複数の印刷ヘッド２が、最大用紙幅全域に亘って配置されている、いわゆるラインプリンターである。本実施の形態では、９つの印刷ヘッド２が左右方向に配列されている例が示されている。つまり、印刷ヘッド２は、ラインヘッド３を構成する単位ヘッドとして備えられている。また、上側が開口する箱状の本体ケース４内には、たとえば、４本（図１では２本のみ図示）の駆動軸５（スクリュー軸）が立設されており、４本の駆動軸５に対してヘッド支持部材６（支持枠）がその四隅のネジ孔にて螺合する状態に支持されている。
【００２５】
ヘッド支持部材６には、印刷ヘッド２が、用紙搬送方向（Ｘ方向）と交差する左右方向に沿って配列された状態で支持されている。これら複数個の印刷ヘッド２は、図２に示すように、平面視において、左右方向に沿って、二列の千鳥状に配列されている。本実施の形態では、複数個の印刷ヘッド２が共通のヘッド支持部材６に組み付けられることにより、ラインヘッド３が構成されている。
【００２６】
４本の駆動軸５は同期して回転できるように動力伝達機構（図示せず）を介して連結されており、そのうち１本の駆動軸５が歯車機構７を介して電動モーター８と動力伝達可能な状態に連結されている。よって、電動モーター８が正逆転駆動されることによりラインヘッド３が上下方向に昇降可能となっている。
【００２７】
図１および図２に示すように、ラインヘッド３の下方には、記録媒体（ターゲット）としての用紙Ｐを搬送するための搬送ユニット９が配設されている。搬送ユニット９は、左右方向が軸方向となる向きで互いに平行に配列された３本のローラー１０Ａ，１０Ｂ，１０Ｃ（図１では１本のみ図示）と、ローラー１０Ａ〜１０Ｃの軸方向に一定の間隔で複数箇所に巻き掛けられた複数本の搬送ベルト１１と、ローラー１０Ａを回転駆動する電動モーター１２とを備えている。
【００２８】
つまり、中央１本のローラー１０Ａが駆動ローラー、前後２本のローラー１０Ｂ，１０Ｃが従動ローラーとなっており、前側２つのローラー１０Ａ，１０Ｂの間に６本の搬送ベルト１１が巻き掛けられるとともに、後側の２つのローラー１０Ａ，１０Ｃ間に５本の搬送ベルト１１が巻き掛けられている。複数個の印刷ヘッド２は、各搬送ベルト１１の隙間と対応する位置にそれぞれ配置されている。
【００２９】
電動モーター１２が駆動されて中央のローラー１０Ａが回転駆動することにより、搬送ベルト１１が回転駆動されて、搬送ベルト１１上に載った用紙Ｐが主走査方向前方に搬送される。なお、電動モーター８の正逆転駆動によりラインヘッド３を昇降させることによって、印刷ヘッド２と用紙Ｐ（又は搬送ベルト１１上面）との間のギャップの調整が可能となっている。
【００３０】
図１に示すように、ラインヘッド３の上方位置には、シアン（Ｃ）、マゼンタ（Ｍ）、イエロ（Ｙ）、ブラック（Ｋ）の４色のインクをそれぞれ収容する４個のインクカートリッジ１３Ａ，１３Ｂ，１３Ｃ，１３Ｄが配置されている。各インクカートリッジ１３Ａ，１３Ｂ，１３Ｃ，１３Ｄからのインクは、インク供給チューブ１４（１本のみ図示）を通じて各印刷ヘッド２に供給される。
【００３１】
図１に示すように、各印刷ヘッド２の下方には、キャップユニット１５がそれぞれ配設されている。キャップユニット１５は、印刷ヘッド２の下面に配置されるノズル形成面１６（図４参照）を封止するためのキャップ１７と、キャップ１７を昇降させる昇降機構１８等とを備える。昇降機構１８は、キャップ１７の底面に当接するカム１９（回転カム）と、カム１９を正逆回転させる動力源としての電動モーター２０とを備える。図１では昇降機構１８を模式的に描いているが、詳しくは図３に示すように、カム１９の回転軸は、歯車機構２１を介して電動モーター２０の駆動軸と動力伝達可能に連結されている。電動モーター２０が正転駆動すると、カム１９が図１に示す状態から時計方向へ回転して、キャップ１７がノズル形成面１６から離間している退避位置（最下降位置）から封止位置（最上昇位置）まで上昇し、一方、キャップ１７が封止位置にある状態から電動モーター２０が逆転駆動すると、カム１９が反時計方向へ回転して、キャップ１７が退避位置（最下降位置）まで下降する。
【００３２】
また、図１および図３に示すように、各キャップ１７には、印刷ヘッド２に対してメンテナンス処理を行うことができるメンテナンス機構２２と、ノズル形成面１６を封止状態としているキャップ１７内を大気開放することができる大気開放機構２３とが備えられている。
【００３３】
次に、図１、図３および図４を参照しながら、メンテナンス機構２２と大気開放機構２３の構成について説明する。
【００３４】
（メンテナンス機構２２）
メンテナンス機構２２は、各キャップ１７の底面部１７Ａ（図４参照）に接続されるチューブ２４と、各チューブ２４毎に接続され、各キャップ１７内に負圧を発生させることができる吸引ポンプ２５と、チューブ２６を介して吸引ポンプ２５に接続される廃インクタンク２７とを備えている。チューブ２４は、キャップ１７の底面部１７Ａに形成される吸引口としての孔部２８を介してキャップ１７の内部に連通している。したがって、キャップ１７が印刷ヘッド２のノズル形成面１６に当接しノズル形成面１６を封止した状態の下で、吸引ポンプ２５が駆動されることにより、チューブ２４を通じてキャップ１７内に負圧が発生し、ノズル形成面１６に開口するノズル２９に吸引力（負圧）が作用する。これにより、ノズル２９内の増粘インクやインク中の気泡等を吸引除去するメンテナンス処理が行われる。
【００３５】
吸引ポンプ２５により吸引された廃インクは、チューブ２４およびチューブ２６を介して、廃インクタンク２７に排出される。なお、図１では、前方側に配置される５つのキャップ１７について備えられるチューブ２４および吸引ポンプ２５のみを示しているが、他の４つのキャップ１７についても同様にチューブ２４、チューブ２６および吸引ポンプ２５が備えられている。
【００３６】
（大気開放機構２３）
一方、大気開放機構２３は、チューブ３０と、チューブポンプ３１と、チューブ３２と、大気開放弁３３とを備える。チューブ３０とチューブポンプ３１は、各キャップ１７毎に備えられ、大気開放弁３３については、複数のチューブ３０が接続されるチューブ３２を介して、各キャップ１７に対し共通に備えられている。
【００３７】
チューブ３０の一端側は、キャップ１７に接続され、他端側は、大気開放弁３３に連通するチューブ３２に接続されている。チューブ３０は、キャップ１７の底面部１７Ａ（図４参照）に形成される孔部３４を介してキャップ１７の内部に連通している。したがって、キャップ１７がノズル形成面１６を封止し、キャップ１７内が負圧になっている状態で、大気開放弁３３を開放すると、チューブ３２およびチューブ３０を介してキャップ１７内が大気開放される。これにより、キャップ１７をノズル形成面１６から離間させる際に、ノズル２９内に形成されたインクメニスカスを破壊してしまうことを防止することができる。
【００３８】
また、大気開放弁３３とキャップ１７との間には、各チューブ３０毎、すなわち、キャップ１７毎に、チューブ押圧手段としてのチューブポンプ３１が備えられている。したがって、チューブ３０にキャップ１７内のインクが流れ込んでも、大気開放弁３３を開放した状態で、チューブポンプ３１を駆動することで、チューブ３０およびチューブ３２に流れ込んだインクを大気開放弁３３の側に送り排出することができる。チューブ３２の大気開放弁３３側の先端は、廃インクタンク３５に接続され、チューブ３２から排出されたインクを受けることができる。なお、図１では、前方側に配置される５つのキャップ１７について備えられるチューブ３０およびチューブポンプ３１のみを示しているが、他の４つのキャップ１７についても同様にチューブ３０およびチューブポンプ３１が備えられている。
【００３９】
なお、プリンター１を使用しない間は、ノズル２９内のインクの増粘を防止するため、キャップ１７によりノズル形成面１６を封止状態とする。その際、大気開放弁３８が開放されていると、チューブ３０，３２を通じてキャップ１７内が大気に解放されるためキャップ１７内の保湿を行うことができない。そのため、プリンター１を使用しない間、ノズル形成面１６を封止状態とする場合には、キャップ１７内の保湿状態が損なわれないように、大気開放弁３３は閉鎖状態とされる。
【００４０】
（チューブポンプ３１）
チューブポンプ３１は、円筒状のケース３６を有しており、このケース３６内には円形状をなすポンプホイール３７が収容されている。ポンプホイール３７は、ケースの軸心に設けられたホイール軸３８を中心に回動可能とされている。そして、このケース３６内に、チューブ３０の中間部３０Ａがケース３６の内周壁３６Ａに沿うようにして収容されている。
【００４１】
ポンプホイール３７には、一対の外側に膨らむ円弧状をなすローラー案内溝３９Ａ，３９Ｂがホイール軸３８を挟んで対向するように形成されている。各ローラー案内溝３９Ａ，３９Ｂは、一端がポンプホイール３７の外周側に位置しており、他端がポンプホイール３７の内周側に位置している。すなわち、両ローラー案内溝３９Ａ，３９Ｂは、それらの一端から他端に向かうほど、徐々にポンプホイール３７の外周部から遠ざかるように延びている。
【００４２】
両ローラー案内溝３９Ａ，３９Ｂ内には、押圧部としての一対のローラー４０Ａ，４０Ｂが、それぞれ回転軸４１Ａ，４１Ｂを介して挿通支持されている。なお、両回転軸４１Ａ，４１Ｂは、それぞれ両ローラー案内溝３９Ａ，３９Ｂ内を摺動自在になっている。
【００４３】
そして、ポンプホイール３７を、正方向（矢印方向）に回動させると、両ローラー４０Ａ，４０Ｂが両ローラー案内溝３９Ａ，３９Ｂの一端側（ポンプホイール３７の外周側）に移動し、チューブ３０の中間部３０Ａを上流側（キャップ１７側）から下流側（大気開放弁３３側）へ順次押し潰しながら（押圧しながら）回動するようになっている。また、ポンプホイール３７を、逆方向（矢印逆方向）に回動させると、両ローラー４０Ａ，４０Ｂが両ローラー案内溝３９Ａ，３９Ｂの他端側（ポンプホイール３７の内周側）に移動し、両ローラー４０Ａ，４０Ｂによるチューブ３０の押圧が解除される。
【００４４】
（電気的構成）
図５は、プリンター１の電気的構成を示す図である。図５に示すように、プリンター１は、制御部４２、ヘッドドライバー４３およびモータードライバー４４，４５，４６，４７，４８，４９を備えている。制御部４２は、ヘッドドライバー４３を介して各印刷ヘッド２と接続されている。また、モータードライバー４４，４５，４６，４７，４８，４９はそれぞれ電動モーター８，１２，２０，５０，５１，５２と接続され、制御部４２は、各モータードライバーを介して対応する電動モーターに接続されている。
【００４５】
電動モーター５０は、吸引ポンプ２５を駆動するものであり、電動モーター５１は、チューブポンプ３１を駆動するものである。また、電動モーター５２は、大気開放弁３３の開閉弁の駆動を行うものである。
【００４６】
制御部４２は、ＣＰＵ（Ｃｅｎｔｒａｌ Ｐｒｏｃｅｓｓｉｎｇ Ｕｎｉｔ）５３、ＡＳＩＣ（Ａｐｐｌｉｃａｔｉｏｎ Ｓｐｅｃｉｆｉｃ ＩＣ）５４、ＲＯＭ（Ｒｅａｄ
Ｏｎｌｙ Ｍｅｍｏｒｙ）５５、ＲＡＭ（Ｒａｎｄｏｍ Ａｃｃｅｓｓ Ｍｅｍｏｒｙ）５６およびフラッシュメモリー５７を内蔵している。ＣＰＵ５３およびＡＳＩＣ５４は、印刷動作、メンテナンス処理、大気開放動作、排出処理等、プリンター１の各種動作・処理の制御を司る。ＲＯＭ５５には、ＣＰＵ５３が実行するための各種プログラムが記憶されている。ＲＡＭ５６は、ＣＰＵ５３が演算結果等のデータを一時記憶するための作業メモリーとして使用される。
【００４７】
（プリンター１の動作）
次に、プリンター１において実行される、メンテナンス処理と、大気開放動作と、チューブ３０内のインクの排出処理について説明する。
【００４８】
（メンテナンス処理）
メンテナンス処理は、所定のタイミング、たとえば、印刷を行っている間の所定の時間毎、あるいは、印刷動作の終了後や印刷動作の開始に先立って行われる。制御部４２は、メンテナンス処理を行う所定のタイミングが到来すると、先ず、電動モーター２０を駆動して、キャップ１７を上昇させ、キャップ１７によりノズル形成面１６を封止する。
【００４９】
ノズル形成面１６の封止が行われる際には、制御部４２は、チューブポンプ３１をローラー案内溝３９Ａ，３９Ｂの長さ分だけ逆回転させ、チューブ３０の押圧が解除される状態にすると共に、大気開放弁３３を閉鎖する。このように、チューブポンプ３１によるチューブ３０の押圧が解除されていると共に、大気開放弁３３が閉鎖され、ノズル形成面１６がキャップ１７により封止されている状態で、制御部４２は、電動モーター５０を駆動し、吸引ポンプ２５を動作する。
【００５０】
吸引ポンプ２５が動作を開始すると、キャップ１７内に負圧が発生し、ノズル２９内のインクがキャップ１７内に吸引される。これにより、ノズル２９内で増粘したインクをノズル２９外に排出することができる。キャップ１７内に排出された廃インクは、吸引ポンプ２５の吸引力により、孔部２８からチューブ２４に吸込まれ、チューブ２６から廃インクタンク２７に排出される。
【００５１】
制御部４２は、吸引ポンプ２５の動作を所定時間行った後、吸引ポンプ２５の動作を停止する。そして、制御部４２は、大気開放弁３３を開状態とする。大気開放弁３３が開放状態となることで、キャップ１７内は、チューブ３０，３２を介して大気開放される。これにより、キャップ１７をノズル形成面１６から離間させても、ノズル２９内に形成されているインクメニスカスを破壊してしまうことがない。
【００５２】
ところで、キャップ１７に排出されたインクの一部は、孔部３４から、チューブ３０，３２内に流れ込むことがある。このインクを放置しておくと、インクがチューブ３０，３２内で増粘あるいは固化し、大気開放弁３３を介したキャップ１７と大気との連通を確保することができなくなる。このような状態になると、メンテナンス処理後に大気開放弁３３を開放状態としても、キャップ１７内を大気開放することができなくなる。そのため、キャップ１７がノズル形成面１６から離間する際に、ノズル２９内のインクメニスカスを破壊してしまう虞がある。
【００５３】
（排出処理）
そこで、プリンター１では、次に説明するチューブ３０，３２内のインクの排出処理を行う。排出処理は、たとえば、メンテナンス処理に続いて行う。メンテナンス処理に続いて排出処理を行うことで、チューブ３０，３２内でインクが増粘したり固化してしまう前に、インクの排出を行うことができ、チューブ３０，３２内でのインクの増粘や固化を未然に防ぐごとができる。特に、インクが顔料系の場合には、粘度が高く増粘や固化がし易い傾向にある。そのため、上述の排出処理を行うことで、チューブ３０，３２内でのインクの増粘や固化を効果的に防ぐごとができる。
【００５４】
制御部４２は、メンテナンス処理の終了に続いて、大気開放弁３３を開放し、電動モーター２０を駆動してキャップ１７をノズル形成面１６から離間させる。キャップ１７をノズル形成面１６から離間させる前に大気開放弁３３が開放されることで、キャップ１７内の大気開放を行うことができる。そのため、ノズル２９内のインクメニスカスを破壊してしまうことを防止できる。また、大気開放弁３３が開放されることで、チューブ３０，３２内にあるインクが廃インクタンク３５に排出可能となる。
【００５５】
続いて、制御部４２は、チューブポンプ３１を正方向に駆動（ポンプホイール３７が正方向に回動する方向）する。チューブポンプ３１が正方向に駆動すると、ローラー４０Ａ，４０Ｂは、ローラー案内溝３９Ａ，３９Ｂの一端側（ポンプホイール３７の外周側）に移動し、チューブ３０の中間部３０Ａを上流側（キャップ１７側）から下流側（大気開放弁３３側）へ順次押し潰しながら（押圧しながら）回動する。チューブポンプ３１の正方向への駆動は、所定時間、継続して行われる。チューブポンプ３１が正方向に駆動することで、メンテナンス処理の際に、キャップ１７からチューブ３０，３２内に流れ込んだインクを上流側から下流側に流すことができ、チューブ３０，３２内のインクを廃インクタンク３５に排出することができる。
【００５６】
チューブポンプ３１を駆動させる時間は、たとえば、孔部３４付近にあるインクが、チューブ３２の廃インクタンク３５側の開口部まで移動することができる時間継続させる。この時間の間、チューブポンプ３１の駆動を継続させることで、チューブ３０，３２内のどこにインクが溜まっていても、チューブ３０，３２から完全に排出させることができる。
【００５７】
また、チューブ３２からインクが排出されて来ないことを、プリンター１の操作者が確認し、チューブ３０，３２内にインクが溜まっていないと判断したときに、図示を省略する操作部を自身で操作し、チューブポンプ３１の動作を停止するようにしてもよい。
【００５８】
なお、排出処理は、メンテナンス処理の終了に併せて自動的に開始されることに換えて、操作者が、チューブ３０，３２内のインクの有無を判断し、その判断に基づいて、図示を省略する操作部から、チューブポンプ３１の正方向への駆動をプリンター１に指示するようにしてもよい。
【００５９】
上述したチューブポンプ３１は、ローラー４０Ａ，４０Ｂが回転軸４１Ａ，４１Ｂに対して回転自在に支持される構成となっている。つまり、ローラー４０Ａ，４０Ｂは、ポンプホイール３７に対して自転可能に取り付けられている。したがって、ポンプホイール３７が回転すると、ローラー４０Ａ，４０Ｂは、チューブ３０に対して回転しながら移動する。
【００６０】
しかしながら、ローラー４０Ａ，４０Ｂは、ポンプホイール３７に対して自転可能な構成としなくても、チューブ３０，３２を上流側から下流側に押し潰しながら移動することができ、チューブ３０，３２内のインクを廃インクタンク３５に排出できる。これに対し、ローラー４０Ａ，４０Ｂを、ポンプホイール３７に対して自転可能な構成とすることで、ローラー４０Ａ，４０Ｂとチューブ３０との擦れが少なくなり、チューブ３０が損傷してしまう虞を低減できる。
【００６１】
また、上述のプリンター１では、チューブポンプ３１を、大気開放弁として機能させることもできる。つまり、チューブポンプ３１を、チューブ３０が押し潰された状態で停止させておくと、チューブ３０，３２を介したキャップ１７の大気との連通を遮断することができる。また、チューブポンプ３１が、逆方向に駆動され、チューブ３０の押圧を解除することで、チューブ３０，３２を介してキャップ１７が大気開放される。
【００６２】
したがって、メンテナンス処理時に、チューブポンプ３１によりチューブ３０を押し潰した状態とし、チューブ３０，３２を介したキャップ１７と大気との連通を遮断することができる。また、プリンター１を使用しない間に、キャップ１７によりノズル形成面１６を封止状態とする際にも、チューブポンプ３１を、チューブ３０が押し潰された状態で停止させておくことで、キャップ１７がチューブ３０，３２を介して大気開放されないようにすることもできる。
【００６３】
しかしながら、チューブ３０が押し潰されている部分にインクが残留している場合には、このインクが増粘あるいは固化し、チューブ３０の内面同士が接着してしまう虞がある。このような場合には、チューブポンプ３１による押圧力をチューブ３０から除いても、チューブ３０が押し潰されたままの状態となってしまう。したがって、チューブポンプ３１に加えて大気開放弁３３を備えていることで、キャップ１７と大気との連通が遮断される状態が継続される場合には、大気開放弁３３を用いて遮断を行うことができ、チューブ３０が押し潰れたままの状態になってしまうことを防ぐことができる。
【００６４】
上述のプリンター１は、印刷ヘッドとして、ラインヘッド３を備える、いわゆるラインプリンターとして構成されている。しかしながら、印刷ヘッド２を単体で備える、いわゆるシリアルプリンターについても、上述の大気開放機構２３を備え、キャップ１７からチューブ３０，３２内に流れ込んだインクの排出を行うことができる。
【００６５】
しかしながら、一般に、ラインプリンターであるプリンター１は、ラインヘッド３を構成する単位ヘッドとしての印刷ヘッド２の中で、廃インクタンク３５から遠くに配置されるものほど、チューブ３０，３２の長さが長くなる。そして、チューブ３０，３２が長くなるほど、チューブ３０，３２内にインクが溜まり易い。そのため、大気開放機構２３を備えることで、ラインプリンターであるプリンター１のチューブ３０，３２内に流れ込んだインクがチューブ３０，３２内で増粘や固化してしまうことを防止することができる。
【００６６】
また、ラインプリンターは、複数の印刷ヘッド２を備えるため、一般に、印刷ヘッド２の周囲に印刷ヘッド２を動作させるための多くの機構が配置されている。また、印刷ヘッド２は互いに接近して配置されている。したがって、大気開放弁３３と廃インクタンク３５を各キャップ１７の近傍に配置することが難しい。
【００６７】
そのため、キャップ１７から、大気開放弁３３および廃インクタンク３５までを接続するチューブ３０，３２を長い設定にせざるを得ない場合がある。このため、チューブ３０，３２内にインクが溜まり易く、溜まったインクがチューブ３０，３２内で増粘や固化してしまうことが起こり易い。しかしながら、上述のように、大気開放機構２３を備えることで、チューブ３０，３２内に流れ込んだインクをチューブから排出することができ、チューブ３０，３２内で増粘や固化してしまうことを防止することができる。
【００６８】
なお、プリンター１では、大気開放弁３３を各キャップ１７に対して共通に備える構成としているが、各キャップ１７毎に大気開放弁３３を備える構成としてもよい。しかしながら、このように構成した場合には、大気開放弁３３の台数が増えることもあり、さらに、各大気開放弁３３を各キャップ１７の近傍に配置することが難しくなる。
【００６９】
そのため、キャップ１７から離れた位置に大気開放弁３３を配置せざるを得なくなる。このような場合であっても、上述のように、大気開放機構２３を備えることで、チューブ３０，３２内に流れ込んだインクをチューブから排出することができ、チューブ３０，３２内で増粘や固化してしまうことを防止することができる。
【００７０】
なお、チューブ３０を、少なくとも、チューブポンプ３１のローラー４０Ａ，４０Ｂが接触する部分について、四フッ化エチレン樹脂やフッ素含有樹脂等のいわゆる自己潤滑性を有する材質の樹脂で構成してもよい。チューブ３０をこのように構成することで、ローラー４０Ａ，４０Ｂによる摩耗を低減することができる。
【００７１】
（変形例１）
上述のプリンター１は、キャップ１７毎に、チューブポンプ３１を備えている。これに対し、図６に示すように、各キャップ１７に接続される分岐チューブ５８を１本の集合チューブ５９に集合させ、この集合チューブ５９に、チューブポンプ３１および大気開放弁３３を備えるようにしてもよい。このように構成することで、チューブポンプ３１の台数を減らすことができ、プリンター１の小型化と部品点数の削減を図ることができる。
【００７２】
なお、図６では、９つのキャップ１７にそれぞれ接続される分岐チューブ５８の全てを、１本の集合チューブ５９に接続している。これに対し、たとえば、５つのキャップ１７に接続される分岐チューブ５８を１本のチューブに集合させ、残りの４つのキャップ１７に接続される分岐チューブ５８を他の１本のチューブに集合させ、そして、２つの集合チューブを、大気開放弁３３に接続される１本のチューブに接続する構成としてもよい。
【００７３】
そして、このように構成した場合には、５つのキャップ１７に接続される分岐チューブ５８が集合される１本のチューブと、残りの４つのキャップ１７に接続される分岐チューブ５８が集合される他の１本のチューブとに対して、それぞれチューブポンプ３１を備える構成とすることができる。この場合には、１台のチューブポンプ３１により９本の分岐チューブ５８に対してインクを上流側から下流側に送る力を作用させる場合に比べて、大きな力で、チューブ内のインクを上流側から下流側に送ることができる。
【００７４】
（変形例２）
上述のプリンター１は、チューブ押圧手段として、チューブポンプ３１に換えて、図７に示す構成のチューブ押圧機構６０を用いてもよい。チューブ押圧機構６０は、電気モーター６１Ａにより回転駆動されるピニオンギア６１と、このピニオンギア６１に噛み合うラックギア６２が設けられる駆動板６３と、駆動板６３にカム孔６４を介して連結され、ローラー６５が回転自在に支持されているローラー支持板６６と、チューブ３０を挟んでローラー６５と反対側に配置される固定板６７とを有する。電気モーター６１Ａは、制御部４２により駆動制御される
【００７５】
カム孔６４は、下方から上方に向かうにつれてチューブ３０に接近する方向に傾斜している。また、ローラー支持板６６は、軸部６６Ａによりカム孔６４による案内を受けて移動可能な状態で駆動板６３に支持されている。さらに、軸部６６Ａがカム孔６４の下端に位置しているときに、ローラー６５がチューブ３０に対して軽く押し付けられように、駆動板６３、カム孔６４およびローラー支持板６６等が構成されている。
【００７６】
このように構成されるチューブ押圧機構６０において、駆動板６３が上方から下方に移動すると、ローラー６５がチューブ３０に押し付けられているローラー支持板６６は、カム孔６４に案内されてチューブ３０側に移動する。そして、軸部６６Ａがカム孔６４の上端に到達した状態で、チューブ３０は、ローラー６５と固定板６７のチューブ支持面６７Ａとの間で完全に押し潰される（押圧される）状態となる。また、軸部６６Ａがカム孔６４の上端に到達した状態では、ローラー支持板６６は、駆動板６３と共に下方に向かって移動する。したがって、ローラー６５は、チューブ３０を上方から下方に向かって押し潰しながら（押圧しながら）移動する。
【００７７】
そして、駆動板６３が、ピニオンギア６１との噛み合い範囲の最下端に到達したところで、電気モーター（図示省略）が逆転され、これにより、駆動板６３が上方に移動させられる。駆動板６３が上方に移動することで、ローラー支持板６６は、駆動板６３と共に下方から上方に向かって移動しながら、カム孔６４に沿って、チューブ３０から離れる方向に移動する。駆動板６３が、上述の上下方向の移動を繰り返すことで、チューブ３０内に溜まったインクを上流側から下流側に流すことができ、チューブ３０内のインクを廃インクタンク３５に排出することができる。
【００７８】
（変形例３）
上述のチューブ押圧機構６０を用いた場合には、プリンター１を次のように構成してもよい。つまり、図８に示すように、各キャップ１７に接続される各チューブ３０（９本のチューブ３０）を、固定板６７のチューブ支持面６７Ａに沿って並列させる。
【００７９】
そして、チューブ押圧機構６０のローラー６５を、チューブ支持面６７Ａに沿って並列された９本のチューブ３０の全部に対して同時（一斉）に接触できる長さに設定する。このように構成することで、１台のチューブ押圧機構６０により、９本のチューブ３０に対して同時（一斉）に、上流側から下流側にチューブ３０を押し潰すことができる。したがって、チューブ押圧機構６０の台数を減らすことができ、プリンター１の小型化と部品点数の削減を図ることができる。
【００８０】
なお、チューブ押圧機構６０を、たとえば、３台用いて、各チューブ押圧機構６０がそれぞれ３本ずつのチューブ３０に対して同時（一斉）に押圧するように構成してもよい。また、たとえば、チューブ押圧機構６０を２台とし、各チューブ押圧機構６０がそれぞれ２本と７本のチューブ３０に対して同時（一斉）に押圧するように構成してもよい。
【００８１】
（白色インクの使用について）
ところで、インクとして、インクジェット記録用インク組成物である白色インクを含むものが使用されることがある。たとえば、シアン（Ｃ）、マゼンタ（Ｍ）、イエロ（Ｙ）、ブラック（Ｋ）の４色のインクがそれぞれ収容される４個のインクカートリッジ１３Ａ，１３Ｂ，１３Ｃ，１３Ｄの内、少なくとも１つを、白色インクを含むインク（白色含有インク）が収容されるインクカートリッジに交換することで、白色含有インクを用紙Ｐに噴射することができる。また、プリンター１を、４つのインクカートリッジ１３Ａ，１３Ｂ，１３Ｃ，１３Ｄに加えて、白色含有インクが収容されるインクカートリッジを備えた構成とした場合にも白色含有インクを用紙Ｐに噴射することができる。
【００８２】
しかしながら、白色インクの組成物として、たとえば、無機白色顔料や有機白色顔料、白色の中空ポリマー微粒子等が顔料として用いられる。また、白色インクの組成物としては、着色剤成分として中空ポリマー微粒子を含有する水系インク組成物が用いられることがある。
【００８３】
このような顔料系の組成物を含む白色含有インクは粘度が高い傾向にあり、増粘や固化し易い。したがって、少なくとも白色含有インクが流れるチューブ３０あるいはチューブ３２に対して、上述の大気開放機構２３を備え、排出処理を行うことができるように構成することで、チューブ３０あるいはチューブ３２内での白色含有インクの増粘や固化を効果的に防ぐごとができる。
【００８４】
（高粘度インクの使用について）
また、各種記録媒体、とりわけ合成紙や印刷本紙のようなインクの吸水性の低い記録媒体においても高品質な記録物を得ることができる組成を有するインクとして、たとえば、以下に説明するインクジェット記録用インク組成物を含むインク（以下、高粘度インクと記載する。）が提案されている。かかる高粘度インクは粘度が高く、増粘や固化をし易い。
【００８５】
したがって、４個のインクカートリッジ１３Ａ，１３Ｂ，１３Ｃ，１３Ｄの内、少なくとも１つを、後述する高粘度インクが収容されるインクカートリッジに交換した場合、あるいは、プリンター１を、４つのインクカートリッジ１３Ａ，１３Ｂ，１３Ｃ，１３Ｄに加えて、高粘度インクが収容されるインクカートリッジを備えた構成とした場合に、少なくとも、高粘度インクが流れるチューブ３０あるいはチューブ３２に対して、上述の大気開放機構２３を備え、排出処理を行うことができるように構成することで、チューブ３０あるいはチューブ３２内での高粘度インクの増粘や固化を効果的に防ぐごとができる。
【００８６】
なお、本願で言う高粘度とは、使用時におけるインクの粘度が５ｍＰａ・ｓ以上１５ｍＰａ・ｓ以下の範囲を言う。
【００８７】
（高粘度インクの組成について）
高粘度インクとしては、たとえば、着色材と、水と、難水溶性のアルカンジオールと、ポリアルキレングリコールとを少なくとも含んで構成される。さらに、高粘度インクは、水溶性の対称型両末端アルカンジオールを含んでいてもよい。
【００８８】
上述の難水溶性のアルカンジオールは、炭素数７以上のアルカンジオールであってもよい。
また、上述のポリアルキレングリコールは、ポリプロピレングリコールであってもよい。
また、上述の水溶性の対称型両末端アルカンジオールは、炭素数が３以上のアルカンジオールであってもよい。
また、上述の難水溶性のアルカンジオールと、上述のポリアルキレングリコールとの含有量比は、それぞれ１：１〜１：１０であってもよい。
また、上述の水溶性の対称型両末端アルカンジオールと、上述の難水溶性のアルカンジオールとの含有量比が、それぞれ１：８０〜４：１であってもよい。
また、上述の水溶性の対称型両末端アルカンジオールと、上述のポリアルキレングリコールとの含有量比が、それぞれ１：１〜１：１００であってよい。
また、上述の難水溶性のアルカンジオールと、上述のポリアルキレングリコールとの含有量の和が、インク組成物に対し、１４重量％以下であってもよい。
また、上述の水溶性の対称型両末端アルカンジオールと、上述の難水溶性のアルカンジオールと、上述のポリアルキレングリコールとの含有量の和が、インク組成物に対し、１８重量％以下であってもよい。
また、上述の難水溶性のアルカンジオールが、インク組成物に対し、１〜４重量％含まれていてもよい。
また、上述のポリアルキレングリコールが、インク組成物に対し、４〜１０重量％含まれていてもよい。
また、上述の水溶性の対称型両末端アルカンジオールが、インク組成物に対し、０．１〜４重量％含まれていてもよい。
また、上述の難水溶性のアルカンジオールが、１，２−オクタンジオールであってもよい。
また、上述のポリプロピレングリコールが、ジオール型であってもよい。
また、上述のポリプロピレングリコールの重量平均分子量が、４００〜７００であってもよい。
また、上述の水溶性の対称型両末端アルカンジオールが、分枝鎖を有するものであってもよい。
また、上述の水溶性の対称型両末端アルカンジオールが、２−メチル−１，３−プロパンジオール、３−メチル−１，５−ペンタンジオール、１，５−ペンタンジオール、および１，６−ヘキサンジオールからなる群から選択される一種または二種以上のものであってもよい。
また、高粘度インクは、多価アルコールのアルキルエーテルを更に含んでいてもよい。
また、上述の多価アルコールのアルキルエーテルが、アルキレングリコールのメチルエーテルであってもよい。
また、上述の多価アルコールのアルキルエーテルが、トリエチレングリコールモノメチルエーテルであってもよい。
また、高粘度インクは、界面活性剤を含んでいてもよい。
また、上述の界面活性剤が、ポリオルガノシロキサン系界面活性剤またはジェミニ型界面活性剤であってもよい。
【００８９】
（定義）
本明細書において、アルカンジオールの炭化水素基部分は、直鎖または分枝鎖のいずれ
であってもよい。
【００９０】
また、水溶性とは、２０℃での、水への溶解度（水１００ｇに対する溶質の量）が、１０．０ｇ以上であることを意味し、難水溶性とは、水への溶解度（水１００ｇに対する溶質の量）が、１．０ｇ未満であることを意味する。混和性とは、２０℃での、水への溶解度（水１００ｇに対する溶質の量）が、１０．０ｇの場合に、半透明な溶液であることを意味する。
【００９１】
（インク組成物）
高粘度インクにおけるインク組成物は、アルカンジオールと、ポリアルキレングリコールとを少なくとも含んでなる。これら二種類の有機溶剤を他の成分と組み合わせて含むことにより、印刷本紙において、インク組成物のビーディングが抑制され、特に低解像度で印刷した場合でも、ブリーディングやビーディングのない高品質な画像が実現でき、噴射安定性にも優れたインク組成物を実現できる。
【００９２】
なお、本明細書中、ビーディングとは、単色で印刷した際（例えば６インチ四方に単色（結果として、印刷される色が単一であることを意味し、その色を実現するインク組成物数は複数であってよい）で印刷した際）に発生する、局所的な同系色の濃度斑のことを意味し、記録媒体表面がインクによって被覆されない部分が残存することを意味するものではない。また、色材のブリーディングとは、各単色を隣接面として印刷した際（例えば３インチ四方に各単色を隣接面として印刷した際）に、境界線近傍において、混合色が発生してしまう現象を意味する。また、溶剤のブリーディングとは、各単色を隣接面として印刷した際（例えば３インチ四方に各単色を隣接面として印刷した際）に、境界線近傍において、溶剤の滲み出しによる色材の移動等により被覆状態が変化し、同系色の濃度斑が発生してしまう現象を意味する。
【００９３】
また、高粘度インクにおいては、上記のような記録媒体において、米坪が７３．３〜１０４．７ｇ／ｍ２または１０４．７〜２０９．２ｇ／ｍ２の薄い印刷本紙等を用いた場合、好ましくは米坪が７３．３〜１０４．７ｇ／ｍ２の薄い印刷本紙を用いた場合であっても、印刷面が内側に反り返る、いわゆるカールの発生を抑制できる。
【００９４】
上記のように、アルカンジオールに加え、ポリアルキレングリコールを添加することにより、ブリーディングやビーディングのない高品質な画像が実現できる理由は定かではないが、以下のように考えられる。
【００９５】
印刷本紙に記録する場合に発生するインクのビーディングは、インク滴の表面張力が高く、印刷本紙表面に対するインク滴との接触角が高いために、印刷本紙がインクを弾いてしまうことが原因であると考えられる。弾かれたインク滴は、隣接するインク滴と相互流動し、結合し合うので、ビーディングが発生する。よって、インクのビーディングを抑制するには、インク滴の表面張力を低くし、インク滴の流動性を抑制することが好ましいと考えられる。
【００９６】
また、印刷本紙に記録する場合に発生するインクのブリーディングは、インク滴の表面張力が異なるために、印刷本紙表面に付着した表面張力の低いインク滴が、表面張力の高いインク滴に濡れ広がり、インクが流動することが原因であると考えられる。このインク流動は、隣接するインク滴同士の付着時間差や付着時の液滴の大きさなども影響すると考えられる。
よって、インクのブリーディングを抑制するには、各々のインク組成物の表面張力を全て同じにすることが好ましいと考えられる。しかしながら、隣接するインク滴同士の付着時間差や付着時の液滴の大きさまでを同じにすることは困難であるので、インク滴の流動性を低くすることが好ましいと考えられる。
【００９７】
高粘度インクにおけるインク組成物にあっては、表面張力が低く、かつ流動性の低いインクが、他のインク組成物に求められる品質を損なうことなく実現できたものと考えられ、その結果、ブリーディング、ビーディングが効果的に抑制されたものと考えられる。
【００９８】
（難水溶性のアルカンジオール）
高粘度インクにおいて、難水溶性のアルカンジオールは、炭素数７以上のアルカンジオールが好ましく、より好ましくは炭素数７〜１０のアルカンジオールである。さらに好ましくは難水溶性の１，２−アルカンジオールであり、ビーディングをより効果的に抑制できる。難水溶性の１，２−アルカンジオールとしては、例えば、１，２−ヘプタンジオール、１，２−オクタンジオール、５−メチル−１，２−ヘキサンジオール、４−メチル−１，２−ヘキサンジオール、または４，４−ジメチル−１，２−ペンタンジオール等が挙げられる。これらの中でも、１，２−オクタンジオールがより好ましい。
【００９９】
高粘度インクにおいて、難水溶性のアルカンジオールの添加量は、インクのブリーディングとビーディングインクとを効率良く抑制出来る限りにおいて、適宜決定されてよいが、組成物全体に対し、１〜４重量％が好ましく、より好ましくは２〜４重量％であり、さらに好ましくは２．５〜３．５重量％である。難水溶性のアルカンジオールの量が上記範囲にあることで、とりわけ下限を下回らずにあることで、ビーディング発生の抑制を十分なものとすることができる。また、難水溶性のアルカンジオールの量が上記範囲にあることで、とりわけ上限を超えずにあることでインクの初期粘度が高くなりすぎず、通常のインク保存状態において、油層の分離を有効に防止でき、インクの保存性の観点から好ましい。
【０１００】
（ポリアルキレングリコール）
高粘度インクによるインク組成物は、ポリアルキレングリコールを含んでなるものである。
【０１０１】
高粘度インクにおけるインク組成物に含まれるポリアルキレングリコールは、炭素数２〜４のアルキレングリコールが一つのユニットであることが好ましく、より好ましくはポリプロピレングリコールである。そのポリプロピレングリコールは、特に限定されないが、生態毒性や環境毒性の観点から、ジオール型であることが好ましい。また、前記ポリプロピレングリコールの重量平均分子量は、特に限定されないが、難水溶性のアルカンジオールを水層から分離させる観点から、その重量平均分子量は４００〜１０００であることが好ましく、４００〜７００であることがより好ましい。
【０１０２】
高粘度インクにおいてポリアルキレングリコールは、インクのブリーディングとビーディングインクとを効率良く抑制出来る限りにおいて、適宜決定されてよいが、インク組成物全体に対し、４〜１０重量％含有されていることが好ましく、より好ましくは５〜８重量％である。ポリアルキレングリコールの量を上記範囲とすることで、とりわけ下限を下回らずにあることで、難水溶性のアルカンジオールをインク滴の乾燥工程で良好に油層に分離することができ好ましい。また、ポリアルキレングリコールの量を上記範囲とすることで、とりわけ上限を超えずにあることで、インクの初期粘度が高くなりすぎず、通常のインク保存状態において、油層の分離を有効に防止でき、インクの保存性の観点から好ましい。
【０１０３】
また、高粘度インクにおけるインク組成物に含まれるポリアルキレングリコールは、高温低湿放置下においても乾燥しにくいため、５０℃/湿度１５％の環境でのノズルの目詰まり回復性を改善することができるとの利点も有する。
【０１０４】
さらに、高粘度インクにおけるインク組成物にあっては、顔料を分散樹脂で分散した態様において、記録媒体上での早すぎるインクの凝集が抑制されるとの効果も見出された。その理由は定かではないが、以下のように考えられる。
【０１０５】
一般に、インクが記録媒体に付着した瞬間、インク中の親油的成分は未だ水に分散された状態であるが、記録媒体に付着後の乾燥過程において、水が先に失われると、O／WからW／Oの状態に相転移すると考えられる。一方、インクの水層には水分散性の分散樹脂によって分散状態にある顔料が存在するが、油層には顔料は存在できない。したがって、O／WからW／Oの状態に相転移する際に、水層にある顔料の流動性が、油層の壁によって抑制され、インクが凝集すると考えられる。しかし、ポリアルキレングリコールは、油層の壁を微細に分離していると考えられる。その結果、水層にある顔料の流動性を向上させ、早すぎるインクの凝集が抑制されると考えられる。
【０１０６】
さらに、高粘度インクにおける難水溶性のアルカンジオールとポリアルキレングリコールとの含有量比が、それぞれ１：１〜１：１０であることが好ましく、より好ましくはそれぞれ１：１〜１：５である。この範囲にあることで、インクの噴射安定性を向上させることができる。
【０１０７】
（対称型両末端アルカンジオール）
高粘度インクの好ましい態様によれば、高粘度インクにおけるインク組成物は、難水溶性のアルカンジオールおよびポリアルキレングリコールに加えて、対称型両末端アルカンジオールを含んでなることができる。これにより、インク組成物が含有している固形分以外の物質、すなわち溶剤を含む水溶液のブリーディング発生がさらに抑制できる点で有利である。
【０１０８】
水溶性の対称型両末端アルカンジオールとしては、主鎖の炭素数が３以上のアルカンジオールが好ましく、より好ましくは主鎖の炭素数が４〜６である。また、水溶性の対称型両末端アルカンジオールは、分枝鎖を有していても良い。なお、本明細書中、「対称型」とは、アルキル鎖の両末端に水酸基を有するアルカンジオールにおいて、１，５−ペンタンジオールのように、両水酸基から等距離にある炭素を対称軸とする、両末端アルカンジオールを意味する。高粘度インクにおける溶性の対称型両末端アルカンジオールとして、より好ましくは２−メチル−１，３−プロパンジオール、３−メチル−１，５−ペンタンジオール、１，５−ペンタンジオール、１，６−ヘキサンジオールである。これらの中でも、噴射安定性の観点からは、炭素数の多い水溶性の対称型両末端アルカンジオールが好ましく用いられる。炭素数が６の水溶性の対称型両末端アルカンジオール、例えば、３−メチル−１，５−ペンタンジオールおよび１，６−ヘキサンジオールは、難水溶性のアルカンジオールを水に溶解させる能力に優れるため、噴射安定性が向上する。
【０１０９】
特に、１，６−ヘキサンジオールは、水易溶性であり、常温において固形であることから、目詰まり回復性の能力に優れるため、より好ましい。理由は定かではないが、ノズル近傍の固形化インクに、水易溶性の固形の１，６−ヘキサンジオールを含有することにより、クリーニング操作によって、液体のインクが接触した際に、１，６−ヘキサンジオールによる溶解が目詰まり回復のきっかけになると考えられる。
【０１１０】
上記溶剤を含む水溶液のブリーディング発生がさらに抑制できる理由は、明らかではないが以下のように考えられる。
【０１１１】
難水溶性のアルカンジオールは、表面張力が極めて低く、蒸発乾燥性も低いため、色材の動きが止まった後も、溶剤を含む水溶液の濡れ拡がりが継続すると考えられる。よって、場所によりインク付着量の差異が大きい記録画像の場合、インク付着量が多い部分から
少ない部分への溶剤を含む水溶液の滲み出しが発生する。表面張力が高い対称型両末端アルカンジオールを添加することによって、このような溶剤のブリーディングを抑制することができる。対称型両末端アルカンジオールは、難水溶性のアルカンジオールとポリアルキレングリコールとを溶解する能力が高いことから、インク滴の乾燥工程において、ポリアルキレングリコールにより、油層の壁が過剰に微細に分離することを阻害しているためである考えられる。
【０１１２】
高粘度インクおける水溶性の対称型両末端アルカンジオールは、上記ブリーディング抑制の効果が得られる範囲で適宜決定されてよいが、インク組成物全体に対し、０．１〜４重量％含有されていることが好ましく、より好ましくは、０．６〜１．４重量％である。水溶性の対称型両末端アルカンジオールの量が上記範囲にあることで、とりわけ下限を下回らずにあることで、噴射安定性を十分なものとすることができ、またワイピング耐久性が劣化しないため好ましい。ワイピング性能とは、クリーニング操作を繰り返し実施した場合に発生する、インクノズルの周辺面の撥水劣化に起因するインク滴の着弾精度劣化を意味する。理由は定かではないが、難水溶性のアルカンジオールとポリアルキレングリコールとが、インクノズルの周辺面に析出していると考えられる。また、水溶性の対称型両末端アルカンジオールの量が上記範囲にあることで、とりわけ上限を超えずにあることで、難水溶性のアルカンジオールとポリアルキレングリコールとを過度に溶解しないため好ましい。
【０１１３】
高粘度インクにおいて用いられる水溶性の対称型両末端アルカンジオールは、水溶性の対称型両末端アルカンジオールはグリセリンよりも低い表面張力を示す浸透性湿潤剤である。例えば、１０％水溶液とした場合の１，６−ヘキサンジオールの表面張力は４１．５ｍＮ／ｍであり、また、１０％水溶液とした場合の２−メチル−１，３−プロパンジオールの表面張力は５７．５ｍＮ／ｍであり、また、１０％水溶液とした場合の３−メチル−１，５−ブタンジオールの表面張力は４５．８ｍＮ／ｍである。
【０１１４】
高粘度インクにおける水溶性の対称型両末端アルカンジオールと、ポリアルキレングリコールとの含有量比は、１：１〜１：１００であることが好ましい。この範囲とすることにより、重量平均分子量２０００以下の前記ポリアルキレングリコールをインク中に安定的に溶解させることができ、噴射安定性が向上する。すなわち、水溶性対称型両末端アルカンジオールの割合が上記範囲にあることで、とりわけ上限を超えずにあることで、インク初期粘度の低減とビーディング斑低減が可能になる。また、水混和性の水溶性対称型両末端アルカンジオールの割合が上記範囲にあることで、とりわけ下限を下回らずにあることで、ポリアルキレングリコールをインク中に安定的に溶解させることが可能となり、経過時の粘度変化を抑制したり保存安定性を維持したりすることが可能となる。また、ワイピング耐久性が劣化を防止できる。
【０１１５】
上記範囲内において、水溶性対称型両末端アルカンジオールの割合が少ない場合は、ポリアルキレングリコールの分子量は、７００以下であることが、ワイピング耐久性の観点から、より好ましい。
【０１１６】
また、高粘度インクおける水溶性の対称型両末端アルカンジオールと難水溶性のアルカンジオールとの含有量比は、それぞれ１：８０〜４：１であることが好ましく、より好ましくはそれぞれ１：４０〜２：１である。この範囲とすることにより、インクの噴射安定性を向上させることができる。すなわち、水溶性の対称型両末端アルカンジオールの割合が、上記範囲にあることで、とりわけ上限を超えずにあることで、インク初期粘度が高くならず、ビーディング斑低減が可能になる。また、水溶性の対称型両末端アルカンジオールの割合が、上記範囲にあることで、とりわけ下限を下回らずにあることで、難水溶性のアルカンジオールをインク中に安定的に溶解させることが可能となり、経過時の粘度変化を抑制し、保存安定性を維持することが可能となる。また、高粘度インクにおける水溶性の対称型両末端アルカンジオールと難水溶性のアルカンジオールとの含有量比を上記範囲内とすることにより、ワイピング耐久性が向上する。
【０１１７】
また、前記対称型両末端アルカンジオールをＸ、前記難水溶性のアルカンジオールをＹ、前記ポリアルキレングリコールをＺとした場合に、含有量比が、Ｘ：（Ｙ＋Ｚ）＝１：１４０〜４：５が好ましい。この範囲にあることで、噴射安定性、保存安定性、およびワイピング耐久性を確保できる。その理由は定かではないが、ポリアルキレングリコールによる乾燥過程における油層の壁の微細分離効果と、対称型両末端アルカンジオールによる乾燥過程における油層の壁の過剰な微細分離を阻害する効果とのバランスによるものと考えられる。上記範囲内であり、かつ、Ｘ：Ｙ＝１：８０〜４：１の範囲内において、難水溶性のアルカンジオールの割合が多い場合は、ポリアルキレングリコールの分子量は、７００以下であることが、ワイピング耐久性の観点で、より好ましい。
【０１１８】
このような層転移は、乾燥過程において、低分子量の水は即座に乾燥するが、難水溶性のアルカンジオールとポリアルキレングリコールとは、乾燥しないで残るために発現すると考えられる。顔料に吸着した樹脂は、流動性に優れた分散状態から、急激に水が失われるのと同時に、油層に取り残されるので、凝集状態の高粘調性の樹脂に変化すると考えられる。
【０１１９】
また、高粘度インクにおける難水溶性のアルカンジオールとポリアルキレングリコールとの含有量の和が、インク組成物に対し１４重量％以下であることが好ましい。この範囲とすることにより、インクの初期粘度を低く抑えられ、印刷本紙のようなインク吸収性の低い記録媒体においてビーディングを生じることなく、色材のブリーディングにも優れる。
【０１２０】
また、高粘度インクにおいては、難水溶性のアルカンジオールと、ポリアルキレングリコールと、水溶性の対称型両末端アルカンジオールとの含有量の和が、インク組成物に対し１８重量％以下であることが好ましい。この範囲にあることにより、インクの初期粘度を低く抑えられ、印刷本紙のようなインク吸収性の低い記録媒体においてビーディング斑を生じることなく、色材のブリーディングだけでなく、溶剤のブリーディングにも優れる。特に、溶剤のブリーディングに優れるので、水の吸収能力が殆どない、合成紙への記録性に優れる。
【０１２１】
高粘度インクの一つの態様によれば、更に１，２−ヘキサンジオールを０．１〜４重量％含んでなることが好ましい。１，２−ヘキサンジオールを０．１〜４重量％含むことにより、さらにブリーディングやビーディングのない高品質な画像が実現できる。また、顔料種や樹脂量により噴射性能が異なる場合の調整剤として効果的である。
【０１２２】
また、高粘度インクの一つの態様によれば、更に４−メチル−１，２−ペンタンジオールを０．１〜４重量％含んでなることが好ましい。１，２−ヘキサンジオールを０．１〜４重量％含むことにより、さらにブリーディングやビーディングのない高品質な画像が実現できる。また、顔料種や樹脂量により噴射性能が異なる場合の調整剤として効果的である。
【０１２３】
さらに、高粘度インクの一つの態様によれば、多価アルコールのアルキルエーテルを更に加えることができる。多価アルコールのアルキルエーテルを加えることにより、印刷ヘッド２にキャップするためのキャップ１７内の目詰まり回復性を向上させることができる。ここで、キャップ１７内の目詰まりとは、キャップ内に滞留している廃液が乾燥固化し、これがキャップ１７内の不織布等のインク吸収剤の微細孔を目詰させることを意味する。キャップ１７内の目詰まり回復性を向上させることにより、クリーニング成功率の低下を防ぎ、ノズル目詰まり回復性を向上させることができる。
【０１２４】
前記多価アルコールのアルキルエーテルとしては、アルキレングリコールのメチルエーテルが好ましく、プロピレングリコールモノメチルエーテル、エチレングリコールモノメチルエーテル、ジエチレングリコールジメチルエーテル、ジプロピレングリコールモノメチルエーテル、トリエチレングリコールジメチルエーテル、およびトリエチレングリコールモノメチルエーテルが挙げられる。凝集性の観点では、アルキレングリコールのモノメチルエーテルがより好ましく、引火点の観点では、トリエチレングリコールのメチルエーテルが好ましい。環境毒性と生態毒性の観点では、トリエチレングリコールモノメチルエーテルが好ましい。
【０１２５】
また、前記トリエチレングリコールモノメチルエーテルと、前記難水溶性のアルカンジオールとの含有量比は、特に限定されないが、３:１〜１:６であることが好ましく、３:１〜１:１であることがより好ましい。この範囲とすることにより、印刷ヘッド２にキャップするためのキャップ１７内の目詰まり回復性を更に向上させることができる。
【０１２６】
また、前記トリエチレングリコールモノメチルエーテルおよび前記ポリアルキレングリコールの合計量の和と、前記難水溶性のアルカンジオールとの含有量比は、特に限定されないが、３:１〜１:６であることが好ましく、３:１〜１:１であることがより好ましい。この範囲とすることにより、印刷ヘッド２にキャップするためのキャップ１７内の目詰まり回復性を更に向上させることができる。
【０１２７】
また、前記トリエチレングリコールモノメチルエーテルと、前記ポリアルキレングリコールとの含有量比は、特に限定されないが、５:１〜１:５であることが好ましく、５:１〜１:１であることがより好ましい。この範囲とすることにより、印刷ヘッド２にキャップするためのキャップ１７内の目詰まり回復性を更に向上させることができる。
【０１２８】
前記トリエチレングリコールモノメチルエーテルは、インク組成物全体に対し、特に限定されないが、０．５〜
９．０重量％含有されていることが好ましく、より好ましくは０．５〜３．０重量％である。
【０１２９】
また、高粘度インクにおいて、前記トリエチレングリコールモノメチルエーテルと前記ポリアルキレングリコールとの含有量の和は、特に限定されないが、インク組成物に対し、９．０重量％以下であることが好ましく、３．０重量％以下であることがより好ましい。この範囲とすることにより、印刷ヘッド２にキャップするためのキャップ１７内の目詰まり回復性を更に向上させることができる。
【０１３０】
（着色材）
高粘度インクにおけるインクジェット記録用インク組成物に用いられる着色材としては、染料および顔料のいずれも使用することができるが、耐光性や耐水性の観点から顔料を好適に使用できる。また、着色材は、前記顔料およびその顔料をインク中に分散させることが可能な下記分散剤を含んでなることが好ましい。
【０１３１】
顔料としては、無機顔料および有機顔料を使用することができ、それぞれ単独または複数種を混合して用いることができる。前記無機顔料としては、例えば、酸化チタンおよび酸化鉄の他に、コンタクト法、ファーネス法、サーマル法等の公知の方法によって製造されたカーボンブラックが使用できる。また、前記有機顔料としては、アゾ顔料（アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キナクリドン顔料、ジオキサジン顔料、チオインジゴ顔料イソインドリノン顔料、キノフラロン顔料等）、染料キレート（例えば、塩基性染料型キレート、酸性染料型キレート等）、ニトロ顔料、ニトロソ顔料、アニリンブラック等が使用できる。
【０１３２】
顔料の具体例は、得ようとするインク組成物の種類（色）に応じて適宜挙げられる。例えば、イエローインク組成物用の顔料としては、Ｃ．Ｉ．ピグメントイエロー１，２，３，１２，１４，１６，１７，７３，７４，７５，８３，９３，９５，９７，９８，１０９，１１０，１１４，１２８，１２９，１３８，１３９，１４７，１５０，１５１，１５４，１５５，１８０，１８５等が挙げられ、これらの１種または２種以上が用いられる。これらのうち、特にＣ．Ｉ．ピグメントイエロー７４，１１０，１２８、および１２９からなる群から選ばれる１種または２種以上を用いることが好ましい。また、マゼンタインク組成物用の顔料としては、例えば、Ｃ．Ｉ．ピグメントレッド５，７，１２，４８（Ｃａ），４８（Ｍｎ），５７（Ｃａ），５７：１，１１２，１２２，１２３，１６８，１８４，２０２，２０９；Ｃ．Ｉ．ピグメントバイオレット１９等が挙げられ、これらの１種または２種以上が用いられる。これらのうち、特にＣ．Ｉ．ピグメントレッド１２２，２０２，２０９、およびＣ．Ｉ．ピグメントバイオレット１９からなる群から選ばれる一種または二種以上を用いることが好ましく、これらの固溶体であってもよい。また、シアンインク組成物用の顔料としては、例えば、Ｃ．Ｉ．ピグメントブルー１，２，３，１５：３，１５：４，１５：３４，１６，２２，６０；Ｃ．Ｉ．バットブルー４，６０等が挙げられ、これらの１種または２種以上が用いられる。これらのうち、特にＣ．Ｉ．ピグメントブルー１５：３および／または１５：４を用いることが好ましく、とりわけ、Ｃ．Ｉ．ピグメントブルー１５：３を用いることが好ましい。
【０１３３】
また、ブラックインク組成物用の顔料としては、例えば、ランプブラック（Ｃ．Ｉ．ピグメントブラック６）、アセチレンブラック、ファーネスブラック（Ｃ．Ｉ．ピグメントブラック７）、チャンネルブラック（Ｃ．Ｉ．ピグメントブラック７）、カーボンブラック（Ｃ．Ｉ．ピグメントブラック７）等の炭素類、酸化鉄顔料等の無機顔料；アニリンブラック（Ｃ．Ｉ．ピグメントブラック１）等の有機顔料等が挙げられるが、高粘度インクにおいては、カーボンブラックが好ましく用いられる。カーボンブラックとして、具体的には、#2650、#2600、#2300、#2200、#1000、#980、#970、#966、#960、#950、#900、#850、MCF-88、#55、#52、#47、#45、#45L、#44、#33、#32、#30、（以上、三菱化学（株）製）、SpecialBlaek4A、550、Printex95、90、85、80、75、45、40（以上、デグッサ社製）、Regal660、RmogulL、monarch1400、1300、1100、800、900（以上、キャボット社製）、Raven7000、5750、5250、3500、3500、2500ULTRA、2000、1500、1255、1200、1190ULTRA、1170、1100ULTRA、Raven5000UIII、（以上、コロンビアン社製）等が挙げられる。
【０１３４】
顔料の濃度は、インク組成物を調製した際に適宜な顔料濃度（含有量）に調整すればよいため特に限定されないが、高粘度インクにおいては、顔料の固形分濃度を７重量％以上とすることが好ましく、１０重量％以上とすることがより好ましい。記録媒体上にインク液滴が付着すると、記録媒体の表面でインクが濡れ拡がるが、顔料固形濃度を７％重量％以上と高くすることにより、濡れ拡がりが留まった後のインクの流動性が早期に失われるため、印刷本紙等の記録媒体に、特に低解像度で印刷した場合でも、より滲みを抑制することができる。すなわち、上記した特定の二種の有機溶剤を組み合わせて使用することにより、インク吸収性の低い記録媒体上でもインクが濡れ拡がり、併せて、インクの固形分濃度を高くすることにより、記録媒体上でのインクの流動性を下げて、滲みを抑制することができると考えられる。特に、インク滴の１滴の重量が６ｎｇ以上の場合において、ビーディングとブリーディングの抑制効果が顕著である。
【０１３５】
前記顔料は、後記する分散剤との混練処理がされた顔料であることが画像の光沢性、ブロンズ防止、およびインク組成物の保存安定性を両立するとともに一層光沢性に優れたカラー画像を形成できる観点から好ましい。
【０１３６】
（分散剤）
高粘度インクにおけるインク組成物は、着色材を分散させるための分散剤としては、スチレン−アクリル酸系共重合樹脂、オキシエチルアクリレート系樹脂、ウレタン系樹脂、およびフルオレン系樹脂からなる群から選択される少なくとも一種の樹脂を含んでなることが好ましく、より好ましくは、オキシエチルアクリレート系樹脂およびフルオレン系樹脂からなる群から選択される少なくとも一種の樹脂を含んでなる。これら共重合樹脂は、顔料に吸着して分散性を向上させる。
【０１３７】
共重合体樹脂における疎水性モノマーの具体例としては、例えば、メチルアクリレート、メチルメタクリレート、エチルアクリレート、エチルメタクリレート、ｎ−プロピルアクリレート、ｎ−プロピルメタクリレート、ｉｓｏ−プロピルアクリレート、ｉｓｏ−プロピルメタクリレート、ｎ−ブチルアクリレート、ｎ−ブチルメタクリレート、ｓｅｃ−ブチルアクリレート、ｓｅｃ−ブチルメタクリレート、ｔｅｒｔ−ブチルアクリレート、ｔｅｒｔ−ブチルメタクリレート、ｎ−ヘキシルアクリレート、ｎ−ヘキシルメタクリレート、ｎ−オクチルアクリレート、ｎ−オクチルメタクリレート、ｉｓｏ−オクチルアクリレート、ｉｓｏ−オクチルメタクリレート、２−エチルヘキシルアクリレート、２−エチルヘキシルメタクリレート、デシルアクリレート、デシルメタクリレート、ラウリルアクリレート、ラウリルメタクリレート、ステアリルアクリレート、ステアリルメタクリレート、２−ヒドロキシエチルアクリレート、２−ヒドロキシエチルメタクリレート、２−ヒドロキシプロピルアクリレート、２−ヒドロキシプロピルメタクリレート、２−ジメチルアミノエチルアクリレート、２−ジメチルアミノエチルメタクリレート、２−ジエチルアミノエチルアクリレート、２−ジエチルアミノエチルメタクリレート、グリシジルアクリレート、グリシジルメタクリレート、アリルアクリレート、アリルメタクリレート、シクロヘキシルアクリレート、シクロヘキシルメタクリレート、フェニルアクリレート、フエニルメタクリレート、ノニルフェニルアクリレート、ノニルフェニルメタクリレート、ベンジルアクリレート、ベンジルメタクリレート、ジシクロペンテニルアクリレート、ジシクロペンテニルメタクリレート、ボルニルアクリレート、ボルニルメタクリレート、１，３−ブタンジオールジアクリレート、１，３−ブタンジオールジメタクリレート、１，４−ブタンジオールジアクリレート、１，４−ブタンジオールジメタクリレート、エチレングリコールジアクリレート、エチレングリコールジメタクリレート、ジエチレングリコールジアクリレート、ジエチレングリコールジメタクリレート、トリエチレングリコールジアクリレート、トリエチレングリコールジメタクリレート、テトラエチレングリコールジアクリレート、テトラエチレングリコールジメタクリレート、ポリエチレングリコールジアクリレート、ポリエチレングリコールジメタクリレート、ネオペンチルグリコールジアクリレート、１，６−ヘキサンジオールジアクリレート、１，６−ヘキサンジオールジメタクリレート、ジプロピレングリコールジアクリレート、ジプロピレングリコールジメタクリレート、トリメチロールプロパントリアクリレート、トリメチロールプロパントリメタクリレート、グリセロールアクリレート、グリセロールメタクリレート、スチレン、メチルスチレン、ビニルトルエン、ヒドロキシエチル化オルトフェニルフェノールアクリレートなどを挙げることができる。これらは、単独でまたは二種以上を混合して用いてもよい。
【０１３８】
親水性モノマーの具体例としては、たとえばアクリル酸、メタクリル酸、マレイン酸、イタコン酸などを挙げることができる。
【０１３９】
前記疎水性モノマーと親水性モノマーとの共重合樹脂は、カラー画像の光沢性、ブロンズ防止、およびインク組成物の保存安定性を両立するとともに一層光沢性に優れたカラー画像を形成できる観点からは、スチレン−（メタ）アクリル酸共重合樹脂、スチレン−メチルスチレン−（メタ）アクリル酸共重合樹脂、またはスチレン−マレイン酸共重合樹脂、（メタ）アクリル酸−（メタ）アクリル酸エステル共重合樹脂、またはスチレン−（メタ）アクリル酸−（メタ）アクリル酸エステル共重合樹脂、ヒドロキシエチル化オルトフェニルフェノールアクリル酸エステル−（メタ）アクリル酸共重合樹脂の少なくともいずれかであることが好ましい。
【０１４０】
前記共重合樹脂は、スチレンと、アクリル酸またはアクリル酸のエステルと、を反応して得られる重合体を含む樹脂（スチレン−アクリル酸樹脂）であってもよい。あるいは、前記共重合樹脂は、アクリル酸系水溶性樹脂であってもよい。またはこれらのナトリウム、カリウム、アンモニウム、トリエタノールアミン、トリイソプロパノールアミン、トリエチルアミン、ジエタノールアミン等の塩であってもよい。
【０１４１】
前記共重合樹脂の酸価は、カラー画像の光沢性、ブロンズ防止、およびインク組成物の保存安定性を両立するとともに一層光沢性に優れたカラー画像を形成できる観点からは、好ましくは５０〜３２０であり、一層好ましくは１００〜２５０である。
【０１４２】
前記共重合樹脂の重量平均分子量（Ｍｗ）は、カラー画像の光沢性、ブロンズ防止、およびインク組成物の保存安定性を両立するとともに一層光沢性に優れたカラー画像を形成できる観点からは、好ましくは２，０００〜３万であり、より好ましくは２，０００〜２万である。
【０１４３】
前記共重合樹脂のガラス転移温度（Ｔｇ；ＪＩＳＫ６９００に従い測定）は、カラー画像の光沢性、ブロンズ防止、およびインク組成物の保存安定性を両立するとともに一層光沢性に優れたカラー画像を形成できる観点からは、好ましくは３０℃以上であり、一層好ましくは５０〜１３０℃である。
【０１４４】
前記共重合樹脂は、顔料分散液中において顔料に吸着している場合と、遊離している場合とがあり、カラー画像の光沢性、ブロンズ防止、およびインク組成物の保存安定性を両立するとともに一層光沢性に優れたカラー画像を形成できる観点からは、前記共重合樹脂の最大粒径は０．３μｍ以下であることが好ましく、平均粒径は０．２μｍ以下（さらに好ましくは０．１μｍ以下）であることが一層好ましい。なお、平均粒径とは、顔料が実際に分散液中で形成している粒子としての分散径（累積５０％径）の平均値であり、例えば、マイクロトラックＵＰＡ（ＭｉｃｒｏｔｒａｃＩｎｃ．社）を使用して測定することができる。
【０１４５】
前記共重合樹脂の含有量は、カラー画像の光沢性、ブロンズ防止、およびインク組成物の保存安定性を両立するとともに一層光沢性に優れたカラー画像を形成できる観点からは、前記顔料１００重量部に対して、好ましくは２０〜５０重量部であり、一層好ましくは２０〜４０重量部である。
【０１４６】
高粘度インクにおいては、前記共重合樹脂として、オキシエチルアクリレート系樹脂を使用することもできる。使用することにより、インクの初期粘度の低減、高温時の保存安定性、目詰まり回復性に優れるので、より好ましい。
【０１４７】
上記オキシエチルアクリレート系樹脂は、特に限定されないが、好ましくは下記式（Ｉ）で表される化合物である。下記式（Ｉ）で表される化合物は、例えば、モノマーモル比として、ＣＡＳ  Ｎｏ．７２００９−８６−０のオルト-ヒドロキシエチル化フェニルフェノールアクリレートを４５〜５５％と、ＣＡＳ  Ｎｏ．７９−１０−７のアクリル酸を２０〜３０％と、ＣＡＳ  Ｎｏ．７９−４１−４のメタクリル酸を２０〜３０％と含む樹脂が挙げられる。これらは、単独でもまたは二種以上を混合して用いてもよい。また、上記モノマー構成比は、特に限定されないが、好ましくはＣＡＳ  Ｎｏ．７２００９−８６−０のオルト-ヒドロキシエチル化フェニルフェノールアクリレートが７０〜８５％、ＣＡＳ  Ｎｏ．７９−１０−７のアクリル酸が５〜１５％、ＣＡＳ  Ｎｏ．７９−４１−４のメタクリル酸が１０〜２０％である。
【０１４８】
【化１】
2011152647.tif 000003
（Ｒ１および/またはＲ３は水素原子またはメチル基であって、Ｒ２はアルキル基または
アリール基である。ｎは１以上の整数である。）
【０１４９】
上記式（Ｉ）で表される化合物は、好ましくはノニルフェノキシポリエチレングリコールアクリレートまたはポリプロピレングリコール#700アクリレート等が挙げられる。
【０１５０】
前記オキシエチルアクリレート系樹脂の含有量は、インク組成物の初期粘度およびインク組成物の保存安定性を両立するとともに、凝集斑を抑制し、埋まり性に優れたカラー画像を形成できる観点からは、前記顔料１００重量部に対して、好ましくは１０〜４０重量部であり、一層好ましくは１５〜２５重量部である。
【０１５１】
前記オキシエチルアクリレート系樹脂に占めるアクリル酸とメタクリル酸の群から選ばれる水酸基を有するモノマー由来の樹脂構成比の合計は、インク組成物の初期粘度およびインク組成物の保存安定性を両立するとともに、目詰まり回復性の観点からは、好ましくは３０〜７０％であり、一層好ましくは４０〜６０％である。
【０１５２】
前記オキシエチルアクリレート系樹脂の架橋前の数平均分子量（Ｍｎ）は、インク組成物の初期粘度およびインク組成物の保存安定性を両立する観点からは、好ましくは４０００〜９０００であり、より好ましくは５０００〜８０００である。Ｍｎは、例えば、ＧＰＣ（ゲルパーミエーションクロマトグラフィー）で測定する。
【０１５３】
前記オキシエチルアクリレート系樹脂は、顔料分散液中において顔料に吸着している場合と、遊離している場合とがあり、カラー画像の光沢性、ブロンズ防止、およびインク組成物の保存安定性を両立するとともに一層光沢性に優れたカラー画像を形成できる観点からは、前記共重合樹脂の最大粒径は０．３μｍ以下であることが好ましく、平均粒径は０．２μｍ以下（さらに好ましくは０．１μｍ以下）であることが一層好ましい。なお、平均粒径とは、顔料が実際に分散液中で形成している粒子としての分散径（累積５０％径）の平均値であり、例えば、マイクロトラックＵＰＡ（ＭｉｃｒｏｔｒａｃＩｎｃ．社）を使用して測定することができる。
【０１５４】
前記オキシエチルアクリレート系樹脂の含有量は、カラー画像の光沢性、ブロンズ防止、およびインク組成物の保存安定性を両立するとともに一層光沢性に優れたカラー画像を形成できる観点からは、前記顔料１００重量部に対して、好ましくは２０〜５０重量部であり、一層好ましくは２０〜４０重量部である。
【０１５５】
また、高粘度インクにおいては、定着性顔料分散剤として、ウレタン系樹脂を用いることにより、カラー画像の光沢性、ブロンズ防止、およびインク組成物の保存安定性を両立するとともに一層光沢性に優れたカラー画像を形成できる。ウレタン系樹脂とは、ジイソシアネート化合物と、ジオール化合物とを反応して得られる重合体を含む樹脂であるが、高粘度インクにおいては、ウレタン結合および／またはアミド結合と、酸性基とを有する樹脂であることが好ましい。
【０１５６】
ジイソシアネート化合物としては、例えば、ヘキサメチレンジイソシアネート、２，２，４−トリメチルヘキサメチレンジイソシアネート等の芳香脂肪族ジイソシアネート化合物、トルイレンジイソシアネート、フェニルメタンジイソシアネート等の芳香族ジイソシアネート化合物、これらの変性物が挙げられる。
【０１５７】
ジオール化合物としては、例えば、ポリエチレングリコール、ポリプロピレングリコール等のポリエーテル系、ポリエチレンアジベート、ポリブチレンアジベート等のポリエステル系、ポリカーボネート系が挙げられる。
【０１５８】
前記ウレタン系樹脂の酸価は、カラー画像の光沢性、ブロンズ防止、およびインク組成物の保存安定性を両立するとともに一層光沢性に優れたカラー画像を形成できる観点からは、好ましくは１０〜３００であり、一層好ましくは２０〜１００である。なお、酸価は、樹脂１ｇを中和させるのに必要なＫＯＨのｍｇ量である。
【０１５９】
前記ウレタン樹脂の架橋前の重量平均分子量（Ｍｗ）は、カラー画像の光沢性、ブロンズ防止、およびインク組成物の保存安定性を両立するとともに一層光沢性に優れたカラー画像を形成できる観点からは、好ましくは１００〜２０万であり、より好ましくは１０００〜５万である。Ｍｗは、例えば、ＧＰＣ（ゲルパーミエーションクロマトグラフィー）で測定する。
【０１６０】
前記ウレタン樹脂のガラス転移温度（Ｔｇ；ＪＩＳＫ６９００に従い測定）は、カラー画像の光沢性、ブロンズ防止、およびインク組成物の保存安定性を両立するとともに一層光沢性に優れたカラー画像を形成できる観点からは、好ましくは−５０〜２００℃であり、一層好ましくは−５０〜１００℃である。
【０１６１】
前記ウレタン系樹脂は、カルボキシル基を有することが好ましい。
【０１６２】
前記ウレタン系樹脂の含有量は、カラー画像の光沢性、ブロンズ防止、およびインク組成物の保存安定性を両立するとともに一層光沢性に優れたカラー画像を形成できる観点からは、前記顔料１００重量部に対して、好ましくは２０〜５０重量部であり、一層好ましくは２０〜４０重量部である。
【０１６３】
さらに、高粘度インクにおいては、定着性顔料分散剤として、フルオレン系樹脂を使用することもできる。使用することにより、インクの初期粘度の低減、高温時の保存安定性、印刷本紙への定着性に優れるので、より好ましい。
【０１６４】
また、前記フルオレン系樹脂は、フルオレン骨格を有する樹脂であれば何ら制限されるものではなく、例えば、下記のモノマー単位を共重合することにより得ることができる。  シクロヘキサン、５−イソシアネート−１−（イソシアネートメチル）−１，３，３−トリメチル（ＣＡＳ  Ｎｏ．４０９８−７１−９）
エタノール、２，２‘−［９Ｈ−フルオレン−９−イリデンビス（４，１−フェニレン
オキシ）］ビス（ＣＡＳ  Ｎｏ．１１７３４４−３２−８）
プロピオン酸、３−ヒドロキシ−２−（ヒドロキシメチル）−２−メチル（ＣＡＳ  Ｎ
ｏ．４７６７−０３−７）
エタンアミン、Ｎ，Ｎ−ジエチル−（ＣＡＳ  Ｎｏ．１２１−４４−８）
【０１６５】
上記フルオレン系樹脂は、特に限定されないが、例えば、モノマー構成比は、特に限定されないが、好ましくはＣＡＳ  Ｎｏ．４０９８−７１−９が３５〜４５％、ＣＡＳ  Ｎｏ．１１７３４４−３２−８が４０〜５０％、ＣＡＳ  Ｎｏ．４７６７−０３−７が５〜１５％、ＣＡＳ  Ｎｏ．１２１−４４−８が５〜１０％である。
【０１６６】
前記フルオレン系樹脂の架橋前の数平均分子量（Ｍｎ）は、インク組成物の初期粘度およびインク組成物の保存安定性を両立する観点からは、好ましくは２０００〜５０００であり、より好ましくは３０００〜４０００である。Ｍｎは、例えば、ＧＰＣ（ゲルパーミエーションクロマトグラフィー）で測定する。
【０１６７】
前記フルオレン系樹脂は、顔料分散液中において顔料に吸着している場合と、遊離している場合と、があり、カラー画像の光沢性、ブロンズ防止、およびインク組成物の保存安定性を両立するとともに一層光沢性に優れたカラー画像を形成できる観点からは、前記共重合樹脂の最大粒径は０．３μｍ以下であることが好ましく、平均粒径は０．２μｍ以下（さらに好ましくは０．１μｍ以下）であることが一層好ましい。なお、平均粒径とは、顔料が実際に分散液中で形成している粒子としての分散径（累積５０％径）の平均値であり、例えば、マイクロトラックＵＰＡ（ＭｉｃｒｏｔｒａｃＩｎｃ．社）を使用して測定することができる。
【０１６８】
前記フルオレン系樹脂の含有量は、カラー画像の定着性、ブロンズ防止、およびインク組成物の保存安定性を両立するとともに一層定着性に優れたカラー画像を形成できる観点からは、前記顔料１００重量部に対して、好ましくは２０〜５０重量部であり、一層好ましくは２０〜４０重量部である。
【０１６９】
前記共重合樹脂および前記定着性顔料分散剤の重量比（前者／後者）は、１／２〜２／１が好ましいが、カラー画像の光沢性、ブロンズ防止、およびインク組成物の保存安定性を両立するとともに一層光沢性に優れたカラー画像を形成できる観点からは、１／１．５〜１．５／１であることが一層好ましい。
【０１７０】
前記顔料の固形分と、前記共重合樹脂および前記定着性顔料分散剤の固形分との重量比（前者／後者）は、カラー画像の光沢性、ブロンズ防止、およびインク組成物の保存安定性を両立するとともに一層光沢性に優れたカラー画像を形成できる観点からは、１００／４０〜１００／１００であることが好ましい。
【０１７１】
また、分散剤として、界面活性剤を用いてもよい。このような界面活性剤としては、脂肪酸塩類、高級アルキルジカルボン酸塩、高級アルコール硫酸エステル塩類、高級アルキルスルホン酸塩、高級脂肪酸とアミノ酸の縮合物、スルホ琥珀酸エステル塩、ナフテン酸塩、液体脂肪油硫酸エステル塩類、アルキルアリルスルホン酸塩類などの陰イオン界面活性剤；脂肪酸アミン塩、第四アンモニウム塩、スルホニウム塩、ホスホニウムなどの陽イオン界面活性剤；ポリオキシエチレンアルキルエーテル類、ポリオキシエチレンアルキルエステル類、ソルビタンアルキルエステル類、ポリオキシエチレンソルビタンアルキルエステル類などの非イオン性界面活性剤等を挙げることができる。上記した界面活性剤はインク組成物に添加されることで、界面活性剤としての機能をも果たすことは言うまでもない。
【０１７２】
（界面活性剤）
高粘度インクにおけるインクジェット記録用インク組成物は、界面活性剤を含んでもよい。記録媒体として、その表面にインクを受容するための樹脂がコーティングされたものに対して、界面活性剤を用いることにより、光沢感がより重視される写真紙等の記録媒体においても、優れた光沢を有する画像を実現することができる。とりわけ、印刷本紙のように、表面の受容層に油性インクを受容するための塗布層が設けられているような記録媒体を用いた場合であっても、色間の滲み（ブリーディング）を防止できるとともに、インク付着量の増加に伴い発生する光の反射光による白化を防止することができる。
【０１７３】
高粘度インクにおいて用いられる界面活性剤としては、ポリオルガノシロキサン系界面活性剤を好適に使用でき、記録画像を形成する際に、記録媒体表面への濡れ性を高めてインクの浸透性を高めることができる。ポリオルガノシロキサン系界面活性剤を用いた場合、上記したような１種類の難水溶性のアルカンジオールと１種類のポリアルキレングリコールを含有するため、界面活性剤のインク中への溶解性が向上し、不溶物等の発生を抑制できるため、噴射安定性がより優れるインク組成物を実現できる。
【０１７４】
上記のような界面活性剤は市販されているものを用いてもよく、例えば、オルフィンＰＤ−５０１（日信化学工業株式会社製）、オルフィンＰＤ−５７０（日信化学工業株式会社製）、ＢＹＫ−３４７（ビックケミー株式会社製）、ＢＹＫ−３４８（ビックケミー株式会社製）等を用いることができる。
【０１７５】
また、ポリオルガノシロキサン系界面活性剤として、下記式（ＩＩ）：
【化２】
2011152647.tif 000004
（式中、Ｒは水素原子またはメチル基を表し、ａは７〜１１の整数を表し、ｍは３０〜５０の整数を表し、ｎは３〜５の整数を表す。）で表される一種または二種以上の化合物を含んでなるか、または、上記式（ＩＩ）の化合物において、式中、Ｒは水素原子またはメチル基を表し、ａは９〜１３の整数を表し、ｍは２〜４の整数を表し、ｎは１〜２の整数である一種または二種以上の化合物を含んでなることがより好ましい。また、上記式（ＩＩ）の化合物において、Ｒは水素原子またはメチル基を表し、ａは６〜１８の整数を表し、ｍは０の整数を表し、ｎは１の整数である一種または二種以上の化合物を含んでなることがより好ましい。このような特定のポリオルガノシロキサン系界面活性剤を使用することにより、記録媒体として印刷本紙に印刷した場合であっても、インクのビーディングとブリーディングがより改善される。
【０１７６】
上記式（ＩＩ）の化合物においては、Ｒがメチル基の化合物を使用することによって、さらにインクのビーディングが改善できる。
【０１７７】
また、上記式（ＩＩ）の化合物においては、Ｒが水素原子の化合物を併用することにより、さらにインクのブリーディングが改善できる。
【０１７８】
上記界面活性剤は、高粘度インクにおけるインク組成物中に、好ましくは０．０１〜１．０重量％、より好ましくは０．０５〜０．５０重量％含有される。特に、Ｒがメチル基である上記界面活性剤を使用する場合は、ＲがＨである上記界面活性剤を用いた場合よりも、含有量を多くすることが好ましい。
【０１７９】
また、高粘度インクにおいて用いられる界面活性剤としては、ジェミニ型界面活性剤を好適に使用できる。上記の難水溶性のアルカンジオールと組み合わせてジェミニ型界面活性剤を用いることにより、難水溶性溶剤を均一に分散することができ、その結果、インクの初期粘度を低下させることができる。したがって、インク組成物中への色材の添加量や目詰まり防止剤等の添加量を高めることができ、ひいては、普通紙のみならず、表面にインクを受容するための樹脂や粒子がコーティングされた多孔質な表面を持つ記録媒体においても、優れた発色性を有する画像を実現することができる。とりわけ、印刷本紙のように、表面の受容層に油性インクを受容するための塗布層が設けられているような記録媒体を用いた場合であっても、色間の滲み（ブリード）を防止できるとともに、インク付着量の増加に伴い発生するドット間のインク流動による色濃度斑を防止することができる。この理由は定かではないが、ジェミニ型界面活性剤の優れた配向性によって、難水溶性溶剤と極めて安定なオイルゲルを形成する為に、着色材の流動性がなくなると考えられる。よって、ジェミニ型界面活性剤の添加による効果は、難水溶性溶剤が多いほど享受できる。なお、「ジェミニ型界面活性剤」とは、二つの界面活性剤分子がリンカーを介して互いに結合した構造を有する界面活性剤を意味する。
【０１８０】
上記のジェミニ型界面活性剤は、一対の１鎖型界面活性剤の親水基部分を、親水性基を有するリンカーを介して互いに結合させた構造の、２鎖３親水基型界面活性剤であることが好ましい。また、上記の１鎖型界面活性剤の親水基部分が酸性アミノ酸残基であることが好ましく、上記リンカーは塩基性アミノ酸であることが好ましい。具体的には、親水基部分がグルタミン酸またはアスパラギン酸であるような一対の１鎖型界面活性剤を、アルギニン、リシン、またはヒスチジンのようなリンカーを介して結合させた構造の界面活性剤が挙げられる。上記のようなジェミニ型界面活性剤として、高粘度インクにおいては、下記化学式（III）：
【化３】
2011152647.tif 000005
（式中、Ｘ１、Ｘ２、およびＸ３は、それぞれ独立して水素原子またはアルカリ金属を表すが、Ｘ１、Ｘ２、およびＸ３の何れもが同時に水素原子またはアルカリ金属となることはなく、ＬおよびＭは、それぞれ独立して０または２を表すが、ＬおよびＭが同時に０または２となることはなく、ＮおよびＰは、それぞれ独立して０または２を表すが、ＮおよびＰが同時に０または２となることはなく、ＱおよびＲは、８〜１８の整数を表す）で表される界面活性剤を用いることがこのましい。
【０１８１】
上記式（III）において、アルカリ金属としてはＮａが好ましく、またＱおよびＲは１０程度が好ましい。このような化合物として、Ｎ−ラウロイル−Ｌ−グルタミン酸とＬ−リジンとの縮合物のナトリウム塩が挙げられる。上記式で表される化合物は、市販されているものを用いてもよく、例えば、Ｎ−ラウロイル−Ｌ−グルタミン酸とＬ−リジンとの縮合物のナトリウム塩を３０%含有した水溶液である、ペリセアＬ−３０（旭化成ケミカルズ株式会社製）等を好適に用いることができる。
【０１８２】
高粘度インクにおいては、上記ジェミニ型界面活性剤を使用することにより、記録画像を形成する際に、記録媒体表面への濡れ性を高めてインクの浸透性を高めることができる。その結果、記録媒体として印刷本紙に印刷した場合であっても、インクの凝集むらがより改善される。また、高粘度インクにおけるインク組成物は上記した難水溶性のアルカンジオールを含有するため、上記界面活性剤のインク中への溶解性が向上し、不溶物等の発生を抑制できるため、噴射安定性がより優れるインク組成物を実現できる。
【０１８３】
上記ジェミニ型界面活性剤は、高粘度インクおけるインク組成物中に、好ましくは０．０１〜１．０重量％、より好ましくは０．０５〜０．５０重量％含有される。
【０１８４】
高粘度インクにおけるインク組成物には、その他の界面活性剤、具体的には、アセチレングリコール系界面活性剤、アニオン界面活性剤、ノニオン界面活性剤、両性界面活性剤等をさらに添加しても良い。
【０１８５】
これらのうち、アセチレングリコール系界面活性剤としては、例えば、２，４，７，９−テトラメチル−５−デシン−４，７−ジオール、３，６−ジメチル−４−オクチン−３，６−ジオール、または３，５−ジメチル−１−ヘキシン−３オール、２，４−ジメチル−５−ヘキシン−３−オールなどが挙げられる。また、アセチレングリコール系界面活性剤は市販品も利用することができ、例えば、オルフィンＥ１０１０、ＳＴＧ、Ｙ（商品名、日信化学社製）、サーフィノール６１、１０４，８２，４６５，４８５、あるいはＴＧ（商品名、Ａｉｒ  Ｐｒｏｄｕｃｔｓ  ａｎｄ  Ｃｈｅｍｉｃａｌｓ  Ｉｎｃ．製）が挙げられる。
【０１８６】
（糖類）  
高粘度インクにおいては、糖類は単独で用いてもよいが、上記した水溶性の対称型両末端アルカンジオールとともに用いることが好ましい。界面活性剤として上記したようなジェミニ型の界面活性剤と、難水溶性のアルカンジオールとの併用において、水溶性の対称型両末端アルカンジオールとともに糖類を添加することにより、目詰まりやカールの発生をより抑制することができるとともに、印刷物の光沢性を向上させることができる。その理由は定かではないが、光沢性が向上するのは、糖の添加によって印刷物の表面に被膜が形成されることによるものと考えられる。
【０１８７】
高粘度インクにおけるインク組成物に用いられる糖類としては、単糖類、二糖類、オリゴ糖類（三糖類および四糖類を含む）、および多糖類またはこれらの誘導体が挙げられる。これらの中でも、グルコース、マンノース、フルクトース、リボース、キシロース、アラビノース、ガラクトース、グルシトール、ソルビット、マルトース、セロビオース、ラクトース、スクロース、トレハロース、マルトトリオース、フィラノース、およびラフィノース等が好ましい。その中でも、ラフィノースが特に好ましい。高粘度インクのインク組成物にラフィノースを加えることにより、間欠印刷特性が向上する。糖類の添加量は適宜決定されてよいが、３〜１８重量％含有されていることが好ましく、より好ましくは４〜８重量％である。
【０１８８】
なお、多糖類とは広義の糖を意味し、アルギン酸、α−シクロデキストリン、セルロース等の自然界に広く存在する物質を含むものとする。また、これら糖類の誘導体としては、上記した糖類の還元糖（例えば、糖アルコール（一般式：ＨＯＣＨ２（ＣＨＯＨ）ｎＣＨ２ＯＨ（式中、ｎは２〜５の整数を表す）、酸化糖（例えば、アルドン酸、ウロン酸など）、アミノ酸、チオ糖などが挙げられる。これらの中でも、特に糖アルコールが好ましく、具体的には、マルチトール、ソルビトール、キシリトール等が挙げられる。これらの糖類は市販のものを使用してもよく、例えばＨＳ２０、ＨＳ３０、ＨＳ５００（林原商事株式会社製）やオリゴＧＧＦ（旭化成株式会社製）を好適に使用できる。
【０１８９】
（水、その他の成分）
高粘度インクにおけるインクジェット記録用インク組成物は、上記した特定の難水溶性のアルカンジオール、特定のポリアルキレングリコール、および界面活性剤、その他の各種添加剤を含有するとともに、溶媒として水を含有する。水は、イオン交換水、限外濾過水、逆浸透水、蒸留水等の純水または超純水を用いることが好ましい。特に、これらの水を、紫外線照射または過酸化水素添加等により滅菌処理した水は、長期間に亘ってカビやバクテリアの発生が防止されるので好ましい。
【０１９０】
また、高粘度インクにおけるインク組成物は、上記成分に加えて、浸透剤を含んでなることが好ましい。
【０１９１】
浸透剤としては、グリコールエーテル類を好適に使用できる。
【０１９２】
グリコールエーテル類の具体例としては、エチレングリコールモノメチルエーテル、エチレングリコールモノエチルエーテル、エチレングリコールモノ−ｉｓｏ−プロピルエーテル、エチレングリコールモノ−ｎ−ブチルエーテル、エチレングリコールモノ−ｉｓｏ−ブチルエーテル、エチレングリコールモノ−ｔｅｒｔ−ブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、ジエチレングリコールモノ−ｉｓｏ−プロピルエーテル、ジエチレングリコールモノ−ｎ−ブチルエーテル、ジエチレングリコールモノ−ｔｅｒｔ−ブチルエーテル、トリエチレングリコールモノ−ｎ−ブチルエーテル、プロピレングリコールモノメチルエーテル、プロピレングリコールモノエチルエーテル、プロピレングリコールモノ−ｎ−プロピルエーテル、プロピレングリコールモノ−ｉｓｏ−プロピルエーテル、プロピレングリコールモノ−ｎ−ブチルエーテル、プロピレングリコールモノ−ｔｅｒｔ−ブチルエーテル、ジプロピレングリコールモノメチルエーテル、ジプロピレングリコールモノエチルエーテル、ジプロピレングリコールモノ−ｎ−プロピルエーテル、ジプロピレングリコール−ｉｓｏ−プロピルエーテル、ジプロピレングリコールモノ−ｎ−ブチルエーテル、ジプロピレングリコールモノ−ｔｅｒｔ−ブチルエーテル、１−メチル−１−メトキシブタノールなどが挙げられ、これらの一種または二種以上の混合物として用いることができる。
【０１９３】
上記グリコールエーテル類のなかでも、多価アルコールのアルキルエーテルが好ましく、特にエチレングリコールモノエチルエーテル、エチレングリコールモノ−ｎ−ブチルエーテル、ジエチレングリコールモノメチルエーテル、ジエチレングリコールモノエチルエーテル、ジエチレングリコールモノ−ｎ−ブチルエーテル、プロピレングリコールモノメチルエーテル、プロピレングリコールモノエチルエーテル、プロピレングリコールモノブチルエーテル、トリエチレングリコールモノメチルエーテル、トリエチレングリコールモノエチルエーテルまたはトリエチレングリコールモノ−ｎ−ブチルエーテルが好ましい。  より好ましくは、トリエチレングリコールモノメチルエーテルおよびトリエチレングリコールモノ−ｎ−ブチルエーテルである。
【０１９４】
上記浸透剤の添加量は適宜決定されてよいが、０．１〜３０重量％程度が好ましく、より好ましくは１〜２０重量％程度である。
【０１９５】
また、高粘度インクにおけるインク組成物は、上記成分に加えて、記録媒体溶解剤を含んでなることが好ましい。
【０１９６】
記録媒体溶解剤としては、Ｎ−メチル−２−ピロリドンなどの、ピロリドン類を好適に使用できる。上記記録媒体溶解剤の添加量は適宜決定されてよいが、０．１〜３０重量％程度が好ましく、より好ましくは１〜２０重量％程度である。
【０１９７】
また、高粘度インクにけるインクジェット記録用インク組成物においては、グリセリン等の湿潤剤を実質的に含まないことが好ましい。グリセリン等の湿潤剤は、インクジェットノズル等において、インクが乾燥して固化するのを防ぐ機能を有するものであるため、インク吸収性能が特に低い合成紙にインクを滴下すると、インクが乾燥せず、高速印刷の際に問題となる場合がある。また、湿潤剤は含まれるインクを用いた場合、吸収されないインクが記録媒体表面に存在している状態で、次のインクが記録媒体上に付着するため、ビーディング斑が発生する場合がある。そのため、高粘度インクにおいては、このようなインク吸収性能が特に低い記録媒体を用いる場合に、湿潤剤を実質的に含まないことが好ましい。なお、インクジェットノズルにおいてインクが乾燥固化してしまった場合であっても、湿潤剤を含む溶液を適用することにより、固化したインクを再溶解させることができる。
【０１９８】
特に、高粘度インクにおいては、２５℃における蒸気圧が２ｍＰａ以下である湿潤剤を、実質的に含まないことが好ましい。実質的に含まないとは、これら湿潤剤の添加量が、インク組成物に対して１重量％未満であることを意味する。
【０１９９】
２５℃における蒸気圧が２ｍＰａ以下であるグリセリン等の湿潤剤の含有量が、インクに対して３重量％未満となることにより、印刷本紙等のインク吸収性の低い記録媒体だけでなく、合成紙やラベル用紙のようなインク吸収能が特に低い記録媒体に対しても、インクジェット記録方式により印刷することが可能となる。また、２５℃における蒸気圧が２ｍＰａ以下である湿潤剤の含有量が、インクに対して１重量％未満となることにより、インク吸収能のまったくない金属やプラスチックに対しても、インクジェット記録方式により印刷することが可能となる。なお、上記した浸透溶剤の一部は、湿潤剤としても作用することは、当業者にとって明らかであるが、本明細書においては、上記した浸透溶剤は、湿潤剤には含まれないものとする。また、本明細書においては、上記した難水溶性のアルカンジオールは、湿潤剤に含まれないものとする。
【０２００】
湿潤剤としては、通常のインクジェット記録用インクに用いられている湿潤剤が挙げられ、具体的には、グリセリン、エチレングリコール、１，３−プロパンジオール、３−メチル−１，３−ブタンジオール、１，３−ブタンジオール、１，２−ペンタンジオール等の炭素数３〜５の水溶性アルカンジオール類である。記録媒体が、インク吸収性能の低い印刷本紙等の場合には、適宜、これら湿潤剤を添加することで、目詰まり回復性を調整することができる。高粘度インクのインク組成物において、前記グリセリンを湿潤剤として０．１〜８重量％以下含んでなることが好ましい。
【０２０１】
高粘度インクにけるインク組成物は、さらにノズルの目詰まり防止剤、防腐剤、酸化防止剤、導電率調整剤、ｐＨ調整剤、粘度調整剤、表面張力調整剤、酸素吸収剤などを添加することができる。
【０２０２】
防腐剤・防かび剤の例としては、安息香酸ナトリウム、ペンタクロロフェノールナトリウム、２−ピリジンチオール−１−オキサイドナトリウム、ソルビン酸ナトリウム、デヒドロ酢酸ナトリウム、１,２−ジベンジンチアゾリン−３−オン（ＩＣＩ社のプロキセルＣＲＬ、プロキセルＢＮＤ、プロキセルＧＸＬ、プロキセルＸＬ−２、プロキセルＴＮ）等を挙げることができる。
【０２０３】
さらに、ｐＨ調整剤、溶解助剤、または酸化防止剤の例として、ジエタノールアミン、トリエタノールアミン、プロパノールアミン、モルホリンなどのアミン類およびそれらの変成物、水酸化カリウム、水酸化ナトリウム、水酸化リチウムなどの無機塩類、水酸化アンモニウム、四級アンモニウム水酸化物（テトラメチルアンモニウムなど）、炭酸カリウム、炭酸ナトリウム、炭酸リチウムなどの炭酸塩類その他燐酸塩など、あるいはＮ−メチル−２−ピロリドン、尿素、チオ尿素、テトラメチル尿素などの尿素類、アロハネート、メチルアロハネートなどのアロハネート類、ビウレット、ジメチルビウレット、テトラメチルビウレットなどのビウレット類など、Ｌ−アスコルビン酸およびその塩を挙げることができる。
【０２０４】
また、高粘度インクにおけるインク組成物は、酸化防止剤および紫外線吸収剤を含んでいてもよく、その例としては、チバ・スペシャリティーケミカルズ社のＴｉｎｕｖｉｎ
３２８、９００、１１３０、３８４、２９２、１２３、１４４、６２２、７７０、２９２、Ｉｒｇａｃｏｒ ２５２ １５３、Ｉｒｇａｎｏｘ １０１０、１０７６、１０３５、ＭＤ１０２４、ランタニドの酸化物等を挙げることができる。
【０２０５】
高粘度インクにおけるインク組成物は、上記の各成分を適当な方法で分散・混合することよって製造することができる。好ましくは、まず顔料と高分子分散剤と水とを適当な分散機（例えば、ボールミル、サンドミル、アトライター、ロールミル、アジテータミル、ヘンシェルミキサー、コロイドミル、超音波ホモジナイザー、ジェットミル、オングミルなど）で混合し、均一な顔料分散液を調製し、次いで、別途調製した樹脂（樹脂エマルジョン）、水、水溶性有機溶媒、糖、ｐＨ調製剤、防腐剤、防かび剤等を加えて十分溶解させてインク溶液を調製する。十分に攪拌した後、目詰まりの原因となる粗大粒径および異物を除去するためにろ過を行って目的のインク組成物を得ることができる。前記ろ過は、ろ材として、好ましくは、グラスファイバーフィルターを用いて行ってもよい。前記グラスファイバーは、樹脂含浸グラスファイバーであることが、静電吸着機能の観点から好ましい。また、グラスファイバーフィルターの孔径は、１〜４０ミクロンが好ましく、さらに好ましくは１〜１０ミクロンであることが、生産性と帯電遊離樹脂等の吸着除去の観点から好ましい。帯電遊離樹脂等の吸着除去を十分に行うことにより、噴射安定性を向上させることができる。上記のフィルターとして、例えば、日本ポール社製のウルチポアＧＦプラスを挙げることができる。
【０２０６】
（インクジェット記録方法）
高粘度インクにおけるインクジェット記録方法は、上記の高粘度インクの組成物の液滴を噴射し、該液滴を記録媒体に付着させて印刷を行うものである。高粘度インクにおける記録方法においては、記録媒体として合成紙や印刷本紙（ＯＫＴ＋：王子製紙株式会社製）を用いることが好ましいが、とりわけ、アート紙、ＰＯＤ（プリントオンデマンド）用途に用いられる高画質用紙およびレーザープリンタ用の専用紙において、特に低解像度で印刷した場合でも、ブリーディングやビーディングのない高品質な画像が実現できる。ＰＯＤ用途の高画質用紙としては、例えば、リコービジネスコートグロス１００（リコー株式会社製）等が挙げられる。また、レーザープリンタ用の専用紙としては、例えばＬＰＣＣＴＡ４（セイコーエプソン株式会社製）等が挙げられる。
【実施例】
【０２０７】
以下、実施例によって高粘度インクをより詳細に説明するが、高粘度インクはこれら実施例に限定されるものではない。
【０２０８】
（インク組成物の調製）
下記表１の組成に従い各成分を混合し、１０μｍのメンブランフィルターでろ過することにより、各インクを調製した。なお、表中のオキシエチルアクリレート系樹脂は、ＣＡＳ  Ｎｏ．７２００９−８６−０で示されるオキシエチルアクリレート構造を有するモノマーをモノマー構成比率略７５重量％含有する、分子量６９００の樹脂である。  フルオレン系樹脂は、ＣＡＳ  Ｎｏ．１１７３４４−３２−８で示されるフルオレン骨格を有するモノマーをモノマー構成比率略５０重量％含有する、分子量３３００の樹脂である。  さらに、用いた界面活性剤は、ポリオルガノシロキサン系界面活性剤であり、上記の式（ＩＩ）において、Ｒがメチル基であり、ａが６〜１８の整数であり、ｍが０の整数であり、ｎが１の整数である化合物と、上記の式（ＩＩ）において、Ｒが水素原子であり、ａが７〜１１の整数であり、ｍが３０〜５０の整数であり、ｎが３〜５の整数である化合物と、上記の式（ＩＩ）において、Ｒがメチル基であり、ａが９〜１３の整数であり、ｍが２〜４の整数であり、ｎが１〜２の整数である化合物とからなる界面活性剤である。
【０２０９】
【表１】
2011152647.tif 000006
2011152647.tif 000007
【０２１０】
実施例９〜１６および比較例２
また、上記の実施例１〜８のインクセットおよび比較例１のインクセットの１，２−オクタンジオールを２重量％から４重量％に変更した以外は同様にして、実施例９〜１６および比較例２のインクセットを調製した。
【０２１１】
実施例１７〜３２
さらに、上記の実施例１〜１６のインクセットのジオール型のポリプロピレングリコール（重量平均分子量４００）（和光純薬工業株式会社製）を、ジオール型のポリプロピレングリコール（重量平均分子量１０００）（和光純薬工業株式会社製）に変更した以外は同様にして、実施例１７〜３２のインクセットを調製した。
【０２１２】
実施例３３〜４８
また、上記の実施例１〜１６のインクセットの１，２−オクタンジオールを２重量％または４重量％から１重量％に変更した以外は同様にして、実施例３３〜４８のインクセットを調製した。
【０２１３】
さらに、上記の比較例１の１，２−オクタンジオールを２重量％から１重量％に変更した以外は同様にして、比較例３のインクセットを調製した。
【０２１４】
実施例４９〜５６
また、上記の実施例１〜８のインクセットのポリオルガノシロキサン系界面活性剤をジェミニ型界面活性剤であるペリセアＬ−３０（旭化成ケミカルズ株式会社製）（固形分として３０重量％）に変更した以外は同様にして、実施例４９〜５６のインクセットを調製した。
【０２１５】
さらに、上記の比較例１のポリオルガノシロキサン系界面活性剤を上記ジェミニ型界面活性剤であるペリセアＬ−３０に変更した以外は同様にして、比較例４のインクセットを調製した。
【０２１６】
（評価）
インクブリーディング（画質）の評価（その１）（ブリーディング１）
上記で得られたＹ、Ｍ、Ｃ、およびＫの各インクをインクセットとして、インクジェットプリンター（ＰＸ−Ｇ９２０、セイコーエプソン社製）のインクカートリッジに装着し、主走査（ヘッド駆動）方向に７２０ｄｐｉでかつ副走査（記録媒体搬送）方向に３６０ｄｐｉで記録できるようにした。次に、着弾時のドットサイズが概ね７ｎｇになるようにプリンタヘッドのピエゾ素子に与える電圧を調整し、一駆動が７２０×３６０ｄｐｉで、約１２８ｇ／平米のＯＫＴ＋（王子製紙株式会社製）に、７２０×７２０ｄｐｉのベタ画像を記録した。記録は、低温高湿（１５℃、６５％湿度）環境下において実施した。この際、単色のＤｕｔｙ１００％のインク付着量は概ね３．６ｍｇ／ｉｎｃｈ平米であった。なお、記録用紙と記録ヘッドとの間の距離は３ｍｍであった。記録画像は、Ｄｕｔｙ６０％同士のＤｕｔｙ１２０％の２次色に、Ｄｕｔｙ６０％の１次色の２〜８ピクセル罫線を接触させた画像である。
【０２１７】
得られた画像について、下記の基準により評価を行った。
Ａ：２／７２０インチの罫線がブリーディングなく、再現できている。
Ｂ：４／７２０インチの罫線がブリーディングなく、再現できているが、２／７２０イ
ンチの罫線がブリーディングして、再現できていない。
Ｃ：６／７２０インチの罫線がブリーディングなく、再現できているが、４／７２０イ
ンチの罫線がブリーディングして、再現できていない。
Ｄ：８／７２０インチの罫線がブリーディングして、再現できていない。
評価結果は、下記の表２に示される通りであった。
【０２１８】
インクブリーディング（画質）の評価（その２）（ブリーディング２）
上記で得られたＹ、Ｍ、Ｃ、およびＫの各インクをインクセットとして、インクジェットプリンター（ＰＸ−Ｇ９２０、セイコーエプソン社製）のインクカートリッジに装着し、主走査（ヘッド駆動）方向に７２０ｄｐｉでかつ副走査（記録媒体搬送）方向に３６０ｄｐｉで記録できるようにした。次に、着弾時のドットサイズが概ね７ｎｇになるようにプリンタヘッドのピエゾ素子に与える電圧を調整し、一駆動が７２０×３６０ｄｐｉで、約１２８ｇ／平米のＯＫＴ＋（王子製紙株式会社製）に、７２０×７２０ｄｐｉのベタ画像を記録した。記録は、低温高湿（１５℃、６５％湿度）環境下において実施した。この際、単色のＤｕｔｙ１００％のインク付着量は概ね３．６ｍｇ／ｉｎｃｈ平米であった。なお、記録用紙と記録ヘッドとの間の距離は３ｍｍであった。記録画像は、Ｄｕｔｙ６０％同士のＤｕｔｙ１８０％の３次色に、Ｄｕｔｙ６０％の１
次色の２〜８ピクセル罫線を接触させた画像である。
【０２１９】
得られた画像について、下記の基準により評価を行った。
Ａ：２／７２０インチの罫線がブリーディングなく、再現できている。
Ｂ：４／７２０インチの罫線がブリーディングなく、再現できているが、２／７２０イ
ンチの罫線がブリーディングして、再現できていない。
Ｃ：６／７２０インチの罫線がブリーディングなく、再現できているが、４／７２０イ
ンチの罫線がブリーディングして、再現できていない。
Ｄ：８／７２０インチの罫線がブリーディングして、再現できていない。
【０２２０】
インクブリーディング（画質）の評価（その３）（ブリーディング３）
上記で得られたＹ、Ｍ、Ｃ、およびＫの各インクをインクセットとして、インクジェットプリンター（ＰＸ−Ｇ９２０、セイコーエプソン社製）のインクカートリッジに装着し、主走査（ヘッド駆動）方向に７２０ｄｐｉでかつ副走査（記録媒体搬送）方向に３６０ｄｐｉで記録できるようにした。次に、着弾時のドットサイズが概ね３ｎｇになるようにプリンタヘッドのピエゾ素子に与える電圧を調整し、一駆動が７２０×３６０ｄｐｉで、約１２８ｇ／平米のＯＫＴ＋（王子製紙株式会社製）に、７２０×７２０ｄｐｉのベタ画像を記録した。記録は、低温高湿（１５℃、６５％湿度）環境下において実施した。この際、単色のＤｕｔｙ１００％のインク付着量は概ね１．６ｍｇ／ｉｎｃｈ平米であった。なお、記録用紙と記録ヘッドとの間の距離は３ｍｍであった。記録画像は、Ｄｕｔｙ６０％同士のＤｕｔｙ１２０％の２次色に、Ｄｕｔｙ６０％の１
次色の２〜８ピクセル罫線を接触させた画像である。
【０２２１】
得られた画像について、下記の基準により評価を行った。
Ａ：２／７２０インチの罫線がブリーディングなく、再現できている。
Ｂ：４／７２０インチの罫線がブリーディングなく、再現できているが、２／７２０イ
ンチの罫線がブリーディングして、再現できていない。
Ｃ：６／７２０インチの罫線がブリーディングなく、再現できているが、４／７２０イ
ンチの罫線がブリーディングして、再現できていない。
Ｄ：８／７２０インチの罫線がブリーディングして、再現できていない。
評価結果は、下記の表２に示される通りであった。
【０２２２】
インクブリーディング（画質）の評価（その４）（ブリーディング４）
上記で得られたＹ、Ｍ、Ｃ、およびＫの各インクをインクセットとして、インクジェットプリンター（ＰＸ−Ｇ９２０、セイコーエプソン社製）のインクカートリッジに装着し、主走査（ヘッド駆動）方向に７２０ｄｐｉでかつ副走査（記録媒体搬送）方向に３６０ｄｐｉで記録できるようにした。次に、着弾時のドットサイズが概ね３ｎｇになるようにプリンタヘッドのピエゾ素子に与える電圧を調整し、一駆動が７２０×３６０ｄｐｉで、約１２８ｇ／平米のＯＫＴ＋（王子製紙株式会社製）に、７２０×７２０ｄｐｉのベタ画像を記録した。記録は、低温高湿（１５℃、６５％湿度）環境下において実施した。この際、単色のＤｕｔｙ１００％のインク付着量は概ね１．６ｍｇ／ｉｎｃｈ平米であった。なお、記録用紙と記録ヘッドとの間の距離は３ｍｍであった。記録画像は、Ｄｕｔｙ６０％同士のＤｕｔｙ１８０％の３次色に、Ｄｕｔｙ６０％の１
次色の２〜８ピクセル罫線を接触させた画像である。
【０２２３】
得られた画像について、下記の基準により評価を行った。
Ａ：２／７２０インチの罫線がブリーディングなく、再現できている。
Ｂ：４／７２０インチの罫線がブリーディングなく、再現できているが、２／７２０イ
ンチの罫線がブリーディングして、再現できていない。
Ｃ：８／７２０インチの罫線がブリーディングして、再現できていない。
評価結果は、下記の表２に示される通りであった。
【０２２４】
インクビーディング（画質）の評価（その１）（ビーディング１）
上記で得られたＹ、Ｍ、Ｃ、およびＫの各インクをインクセットとして、インクジェットプリンター（ＰＸ−Ｇ９２０、セイコーエプソン社製）のインクカートリッジに装着し、主走査（ヘッド駆動）方向に７２０ｄｐｉでかつ副走査（記録媒体搬送）方向に３６０ｄｐｉで記録できるようにした。次に、着弾時のドットサイズが概ね７ｎｇになるようにプリンタヘッドのピエゾ素子に与える電圧を調整し、一駆動が７２０×３６０ｄｐｉで、約１２８ｇ／平米のＯＫＴ＋（王子製紙株式会社製）に、７２０×７２０ｄｐｉのベタ画像を記録した。記録は、低温高湿（１５℃、６５％湿度）環境下において実施した。この際、単色のＤｕｔｙ１００％のインク付着量は概ね３．６ｍｇ／ｉｎｃｈ平米であった。なお、記録用紙と記録ヘッドとの間の距離は３ｍｍであった。  記録画像は、同じＤｕｔｙの単色同士を混合した２次色の画像である。
【０２２５】
得られた画像について、下記の基準により評価を行った。
ＡＡ：各単色Ｄｕｔｙ９０％の２次色Ｄｕｔｙ１８０％までが、ビーディングなく再現
できている。
Ａ：各単色Ｄｕｔｙ８０％の２次色Ｄｕｔｙ１６０％までが、ビーディングなく再現で
きている。
Ｂ：各単色Ｄｕｔｙ７０％の２次色Ｄｕｔｙ１４０％までが、ビーディングなく再現で
きている。
Ｃ：各単色Ｄｕｔｙ６０％の２次色Ｄｕｔｙ１２０％までが、ビーディングなく再現で
きている。
評価結果は、下記の表２に示される通りであった。
【０２２６】
インクビーディング（画質）の評価（その２）（ビーディング２）
上記で得られたＹ、Ｍ、Ｃ、およびＫの各インクをインクセットとして、インクジェットプリンター（ＰＸ−Ｇ９２０、セイコーエプソン社製）のインクカートリッジに装着し、主走査（ヘッド駆動）方向に７２０ｄｐｉでかつ副走査（記録媒体搬送）方向に３６０ｄｐｉで記録できるようにした。次に、着弾時のドットサイズが概ね３ｎｇになるようにプリンタヘッドのピエゾ素子に与える電圧を調整し、一駆動が７２０×３６０ｄｐｉで、約１２８ｇ／平米のＯＫＴ＋（王子製紙株式会社製）に、７２０×７２０ｄｐｉのベタ画像を記録した。記録は、低温高湿（１５℃、６５％湿度）環境下において実施した。この際、単色のＤｕｔｙ１００％のインク付着量は概ね１．６ｍｇ／ｉｎｃｈ平米であった。なお、記録用紙と記録ヘッドとの間の距離は３ｍｍであった。記録画像は、同じＤｕｔｙの単色同士を混合した２次色の画像である。
【０２２７】
得られた画像について、下記の基準により評価を行った。
ＡＡ：各単色Ｄｕｔｙ９０％の２次色Ｄｕｔｙ１８０％までが、ビーディングなく再現
できている。
Ａ：各単色Ｄｕｔｙ８０％の２次色Ｄｕｔｙ１６０％までが、ビーディングなく再現で
きている。
Ｂ：各単色Ｄｕｔｙ７０％の２次色Ｄｕｔｙ１４０％までが、ビーディングなく再現で
きている。
Ｃ：各単色Ｄｕｔｙ６０％の２次色Ｄｕｔｙ１２０％までが、ビーディングなく再現で
きている。
評価結果は、下記の表２に示される通りであった。
【０２２８】
ワイピング耐久の評価
上記のインクカートリッジおよびインクジェットプリンターを用いた。1回当たり各色で約０．２５ｇのインクがキャップ内に廃棄され、その後、ヘッド面をワイパーがワイピングする動作を３０００回繰り返し実施した。評価は、低温高湿（１５℃、６５％湿度）環境下において実施した。
Ａ：濡れ曲がりが発生していない。
Ｂ：濡れ曲がりが発生している。
評価結果は、下記の表２に示される通りであった。
【０２２９】
インクの初期粘度の評価
上記のようにして得られた各インクについて、インク粘度の評価を行った。振動型粘度計（ＭＶ１００型番、ヤマイチエレクトロニクス社製）を用い、インク調製後１時間経過後のインクの粘度を測定し、以下の基準により評価を行った。なお、測定温度は２０℃とした。
Ｓ：粘度が３．４ｍＰａ・ｓ以下である。
Ａ：粘度が３．５ｍＰａ・ｓを超え、４．５ｍＰａ・ｓ以下である。
Ｂ：粘度が４．５ｍＰａ・ｓを超え、５．５ｍＰａ・ｓ以下である。
Ｃ：粘度が５．５ｍＰａ・ｓを超える。
評価結果は、下記の表２に示される通りであった。
【０２３０】
目詰まり回復性の評価
上記のインクカートリッジおよびインクジェットプリンターを用い、インク交換ボタンを押してからコンセントを抜いた。このように、ヘッドキャップが外れた状態にしてから、プリンターを５０℃/湿度１５％の環境に２日間放置した。
【０２３１】
放置後、全ノズルが初期と同等に噴射するまでクリーニング動作を繰り返し、以下の判断基準により、回復しやすさを評価した。
ＡＡ：クリーニング操作を３回繰り返して目詰まりが回復する。
Ａ：クリーニング操作を６回繰り返して目詰まりが回復する。
Ｂ：クリーニング操作を１２回繰り返して目詰まりが回復する。
Ｃ：クリーニング操作を１２回繰り返しても目詰まりが回復しない。
結果は下記の表２に示される通りであった。
【０２３２】
【表２】
2011152647.tif 000008
2011152647.tif 000009
【０２３３】
また、実施例４９〜５６および比較例４についても上記と同様の評価を行ったところ、実施例１〜８および比較例１と、初期粘度の評価以外は同一の評価結果であった。初期粘度の評価は、一段階向上した。ジェミニ型界面活性剤であるペリセアＬ−３０を含むインク組成物の方が、ポリオルガノシロキサン系界面活性剤に比べ、初期粘度が向上することがわかる。
【０２３４】
（実施の形態の主な効果）
上述のように本実施の形態に係る流体噴射装置としてのプリンター１は、ノズル形成面１６に形成される流体噴射ノズルとしてのノズル２９から流体としてのインクを噴射する流体噴射ヘッドとしての印刷ヘッド２と、ノズル形成面１６を封止可能なキャップ１７と、キャップ１７に設けられた吸引口として孔部２８からキャップ１７内に負圧を発生させることができる吸引ポンプ２５と、キャップ１７の内部とキャップ１７の外部の大気とを連通するチューブ３０，３２と、チューブ３２に接続され、キャップ１７の内部を、チューブ３０，３２を介して大気に開放する状態と大気から閉塞する状態とに切り替えることができる大気開放弁３３と、チューブ３０のキャップ１７と大気開放弁３３との間の部分を押圧することができる押圧部としてのローラー４０Ａ，４０Ｂを、該部分を押圧する状態と押圧しない状態とに変位させることができる共に、ローラー４０Ａ，４０Ｂがチューブ３０を押圧している状態で、ローラー４０Ａ，４０Ｂをチューブ３０に沿ってキャップ１７側から大気開放弁３３に向けて移動することができるチューブ押圧手段としてのチューブポンプ３１を備える。
【０２３５】
このようにプリンター１を構成することで、チューブ３０，３２内であるインクをチューブ３０，３２外に排出することができる。そのため、キャップ１７から大気開放弁に繋がるチューブ３０，３２内に流れ込んだ流体を洗浄によることなく、チューブ外に排出することができ、チューブ３０，３２内でのインクの増粘や固化を未然に防ぐごとができる。
【０２３６】
また、チューブ押圧手段として、チューブ押圧機構６０を用いることができる。この場合は、押圧部としてのローラー６５が、チューブ３０を押圧している状態で、ローラー６５をチューブ３０に沿ってキャップ１７側から大気開放弁３３に向けて移動させる。
【０２３７】
また、プリンター１においては、印刷ヘッド２が２つ以上備えられ、各印刷ヘッド２毎に、キャップ１７、チューブ３０、およびチューブポンプ３１を有する構成としている。
【０２３８】
印刷ヘッド２を２つ以上備える場合、キャップ１７の周囲に配置される構造物の数が増えたり構造が複雑化し、キャップ１７の近傍に大気開放弁３３を配置するスペースを確保することができなくなることがある。このような場合には、大気開放弁３３をキャップ１７から離れた位置に配置せざるを得ず、キャップ１７と大気開放弁３３とを連通するチューブ３０，３２の長さが長くなってしまう。一方、チューブ３０，３２は長さが長くなるものほど、チューブ内にインクが溜まり易くなる。そこで、各印刷噴射ヘッド２毎に、キャップ１７、チューブ３０、およびチューブポンプ３１を備えることで、キャップ１７と大気開放弁３３とを連通するチューブ３０，３２の長さが長い場合でも、チューブ３０内に流れ込んだインクの排出を行うことができる。
【０２３９】
また、プリンター１においては、印刷ヘッド２が２つ以上備えられると共に、各印刷ヘッド２毎に、キャップ１７が備えられ、チューブ３０は、各キャップ１７に接続される分岐チューブ５８と、複数の分岐チューブ５８が接続される集合チューブ５９とを有し、大気開放弁３３は、集合チューブ５９に接続され、チューブポンプ３１は、集合チューブ５９に対して備えられる構成としてもよい。
【０２４０】
このようにプリンター１を構成することで、１台のチューブポンプ３１により複数の分岐チューブ５８に対して、チューブ３０内に流れ込んだインクを上流側から下流側に流すことができ、チューブポンプ３１の台数を減らすことができる。その結果、プリンター１の小型化と部品点数の削減を図ることができる。なお、チューブ押圧手段としては、チューブ押圧機構６０を備えてもよい。
【０２４１】
また、プリンター１においては、印刷ヘッド２が２つ以上備えられ、各印刷ヘッド２毎に、キャップ１７およびチューブ３０が備えられ、チューブ押圧手段としてのチューブ押圧機構６０が、押圧部としてのローラー６５を、少なくとも２つの複数チューブ３０に対して同時に押圧する状態と押圧しない状態とに変位可能とすると共に、ローラー６５が複数のチューブ３０を押圧している状態で、ローラー６５をチューブ３０に沿ってキャップ１７側から大気開放弁３３側に向けて移動することとしてもよい。
【０２４２】
プリンター１をこのように構成することで、１台のチューブ押圧機構６０により複数のチューブ３０に対して、チューブ３０内に流れ込んだインクを上流側から下流側に流すことができ、チューブ押圧機構６０の台数を減らすことができる。その結果、プリンター１の小型化と部品点数の削減を図ることができる。
【０２４３】
また、プリンター１においては、チューブポンプ３１のチューブ３０を押圧する押圧部であるローラー４０Ａ，４０Ｂが回転可能となっている。また、チューブ押圧手段として、チューブ押圧機構６０を用いた場合には、ローラー６５が回転可能となっている。
【０２４４】
このようにプリンター１を構成することで、ローラー４０Ａ，４０Ｂあるいはローラー６５とチューブ３０との擦れが少なくなり、チューブ３０が損傷してしまう虞を低減できる。
【０２４５】
また、プリンター１においては、チューブ３０または集合チューブ５９は、少なくともチューブポンプ３１のローラー４０Ａ，４０Ｂが接触する部分において、自己潤滑性を有することとしてもよい。
【０２４６】
このようにプリンター１を構成することで、チューブ３０または集合チューブ５９のローラー４０Ａ，４０Ｂと接触する部分の摩耗を低減することができる。また、チューブ押圧手段として、チューブ押圧機構６０を用いた場合には、チューブ３０または集合チューブ５９のローラー６５と接触する部分において、自己潤滑性を有することとしてもよい。このようにプリンター１を構成することで、チューブ３０または集合チューブ５９のローラー６５と接触する部分の摩耗を低減することができる。
【０２４７】
また、プリンター１において、インクは、白色のインクジェット記録用インク組成物を有することとしてもよい。
【０２４８】
白色のインクジェット記録用インク組成物は、高粘度となる傾向にあり、増粘や固化し易い。したがって、白色のインクジェット記録用インク組成物を有するインクが流れるチューブ３０あるいはチューブ３２に対して、大気開放機構２３を備え、排出処理を行うことができるように構成することで、チューブ３０あるいはチューブ３２内でのインクの増粘や固化を効果的に防ぐごとができる。
【０２４９】
また、プリンター１において、インクは、着色材と、水と、難水溶性のアルカンジオールと、ポリアルキレングリコールとを少なくとも含んでいることとしてもよい。
【０２５０】
かかる成分を含むインクは、高粘度となる。したがって、増粘や固化をし易い。したがって、高粘度インクが流れるチューブ３０あるいはチューブ３２に対して、大気開放機構２３を備え、排出処理を行うことができるように構成することで、チューブ３０あるいはチューブ３２内での高粘度インクの増粘や固化を効果的に防ぐことができる。
【０２５１】
上述の実施形態では、流体噴射装置をインクジェットプリンターに具体化したが、この限りではなく、インク以外の他の流体（液体や、機能材料の粒子が液体に分散又は混合されてなる液状体、ゲルのような流状体、流体として流して噴射できる固体を含む）を噴射したり噴射したりする流体噴射装置に具体化することもできる。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射する液状体噴射装置、バイオチップ製造に用いられる生体有機物を噴射する液体噴射装置、精密ピペットとして用いられ試料となる液体を噴射する液体噴射装置であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置、ゲル（例えば物理ゲル）などの流状体を噴射する流状体噴射装置であってもよい。なお、「流体」とは、気体のみからなる流体を含まない概念であり、例えば液体（無機溶剤、有機溶剤、溶液、液状樹脂、液状金属（金属融液）等を含む）、液状体、流状体などが含まれる。
【符号の説明】
【０２５２】
２  …  印刷ヘッド（流体噴射ヘッド）    １６  …  ノズル形成面    １７  …  キャップ    ２５  …  吸引ポンプ    ２８  …  孔部（吸引口）    ２９  …  ノズル（流体噴射ノズル）    ３０，３２  …  チューブ    ３１  …  チューブポンプ（チューブ押圧手段）    ３３  …  大気開放弁    ４０Ａ，４０Ｂ，６５  …  ローラー（押圧部）
５８  …  分岐チューブ    ５９  …  集合チューブ    ６０  …  チューブ押圧機構（チューブ押圧手段）
【図１】
2011152647.tif 000010
【図２】
2011152647.tif 000011
【図３】
2011152647.tif 000012
【図４】
2011152647.tif 000013
【図５】
2011152647.tif 000014
【図６】
2011152647.tif 000015
【図７】
2011152647.tif 000016
【図８】
2011152647.tif 000017